(57)【要約】【課題】臨床的な検討目的に応じて、適切な表示形式で診療データを提示することができる医用情報処理装置及び医用情報処理方法を提供すること。【解決手段】実施形態に係る医用情報処理装置は、表示制御部と、変換部とを備える。前記表示制御部は、診療データごとに定義されたデータ表示形式に対応付けられた次元を有する診療データ空間に基づいて、前記診療データを表示する。前記変換部は、前記診療データ空間上で、指定された変換基準点を基準にして空間変換を行うことで、前記表示制御部によって表示される前記診療データの表示を切り替える。【選択図】図１
2018173776.tif 000002
【特許請求の範囲】
【請求項１】
診療データごとに定義されたデータ表示形式に対応付けられた次元を有する診療データ空間に基づいて、前記診療データを表示する表示制御部と、
前記診療データ空間上で、指定された変換基準点を基準にして空間変換を行うことで、前記表示制御部によって表示される前記診療データの表示を切り替える変換部と
を備える、医用情報処理装置。
【請求項２】
前記変換部は、前記空間変換として、前記診療データ空間上で、点、線又は平面で示される第１の表示状態を、当該第１の表示状態で指定された変換基準点を基準にして、他の点、線又は平面で示される第２の表示状態に変換する、
請求項１に記載の医用情報処理装置。
【請求項３】
前記変換部は、前記空間変換として、前記診療データ空間における回転、平行移動、拡大又は縮小を行う、
請求項１又は２に記載の医用情報処理装置。
【請求項４】
前記変換部は、さらに、指定された変換量に基づいて、前記空間変換を行う、
請求項１、２又は３に記載の医用情報処理装置。
【請求項５】
前記診療データ空間は、被検体に対応する次元をさらに有する、
請求項１〜４のいずれか一つに記載の医用情報処理装置。
【請求項６】
前記診療データ及び前記診療データ空間は、疾病、操作者又は診療フェーズに応じて動的に変更される、
請求項１〜５のいずれか一つに記載の医用情報処理装置。
【請求項７】
前記表示制御部は、表示中のデータ表示形式に対応する前記診療データ空間上の位置を示すガイド情報をさらに表示する、
請求項１〜６のいずれか一つに記載の医用情報処理装置。
【請求項８】
診療データごとに定義されたデータ表示形式に対応付けられた次元を有する診療データ空間に基づいて、前記診療データを表示し、
前記診療データ空間上で、指定された変換基準点を基準にして空間変換を行うことで、前記診療データの表示を切り替える、
ことを含む、医用情報処理方法。
【発明の詳細な説明】
【技術分野】
【０００１】
本発明の実施形態は、医用情報処理装置及び医用情報処理方法に関する。
【背景技術】
【０００２】
従来、医師が診断や治療方針を検討するために必要な種々の診療データを、一つの画面上で表示するシステムが望まれている。例えば、投薬等の治療に関する情報や、検体検査や画像検査等の検査に関する情報等を比較しながら同時に見ることができるシステムや、被検体の状態や現在の治療内容等を高い一覧性で把握できるシステムが期待されている。
【先行技術文献】
【特許文献】
【０００３】
【特許文献１】特開２０１７−２７２６６号公報
【発明の概要】
【発明が解決しようとする課題】
【０００４】
本発明が解決しようとする課題は、臨床的な検討目的に応じて、適切な表示形式で診療データを提示することができる医用情報処理装置及び医用情報処理方法を提供することである。
【課題を解決するための手段】
【０００５】
実施形態に係る医用情報処理装置は、表示制御部と、変換部とを備える。前記表示制御部は、診療データごとに定義されたデータ表示形式に対応付けられた次元を有する診療データ空間に基づいて、前記診療データを表示する。前記変換部は、前記診療データ空間上で、指定された変換基準点を基準にして空間変換を行うことで、前記表示制御部によって表示される前記診療データの表示を切り替える。
【図面の簡単な説明】
【０００６】
【図１】図１は、第１の実施形態に係る医用情報処理装置の構成例を示す図である。
【図２】図２は、第１の実施形態に係る医用情報処理装置によって行われる診療データの表示の概要を示す図である。
【図３】図３は、第１の実施形態に係る投薬テーブルの一例を示す図である。
【図４】図４は、第１の実施形態に係る投薬サマリテーブルの一例を示す図である。
【図５】図５は、第１の実施形態に係る画像テーブルの一例を示す図である。
【図６】図６は、第１の実施形態に係る画像計測値テーブルの一例を示す図である。
【図７】図７は、第１の実施形態に係る読影レポートテーブルの一例を示す図である。
【図８】図８は、第１の実施形態に係る心電図テーブルの一例を示す図である。
【図９】図９は、第１の実施形態に係る心電図計測値テーブルの一例を示す図である。
【図１０】図１０は、第１の実施形態に係る心電図レポートテーブルの一例を示す図である。
【図１１】図１１は、第１の実施形態に係るバイタルテーブルの一例を示す図である。
【図１２】図１２は、第１の実施形態に係るバイタルサマリテーブルの一例を示す図である。
【図１３】図１３は、第１の実施形態に係る看護記録テーブルの一例を示す図である。
【図１４】図１４は、第１の実施形態に係る検体検査テーブルの一例を示す図である。
【図１５】図１５は、第１の実施形態に係る検体検査サマリテーブルの一例を示す図である。
【図１６】図１６は、第１の実施形態に係る検体検査レポートテーブルの一例を示す図である。
【図１７】図１７は、第１の実施形態に係るデータ表示形式の分類の一例を示す図である。
【図１８】図１８は、第１の実施形態に係るパネルマスタテーブルの一例を示す図である。
【図１９】図１９は、第１の実施形態に係るデータ表示テーブルの一例を示す図である。
【図２０】図２０は、第１の実施形態に係る表示座標マスタテーブルの一例を示す図である。
【図２１】図２１は、第１の実施形態に係る表示座標マスタによるデータ表示形式と診療データ空間上の座標との対応付けの一例を示す図である。
【図２２】図２２は、第１の実施形態に係る表示制御機能及び変換機能によって行われる処理の流れを示すフローチャートである。
【図２３】図２３は、第１の実施形態に係る表示制御機能によって行われる処理の流れを示すフローチャートである。
【図２４】図２４は、表示制御機能によって生成される表示画面の一例を示す図である。
【図２５】図２５は、表示制御機能によって生成される表示画面の一例を示す図である。
【図２６】図２６は、表示制御機能によって生成される表示画面の一例を示す図である。
【図２７】図２７は、表示制御機能によって生成される表示画面の一例を示す図である。
【図２８】図２８は、第１の実施形態に係る表示制御機能によって提供される受付手段の一例を示す図である。
【図２９】図２９は、第１の実施形態に係る表示制御機能によって提供される受付手段の他の一例を示す図である。
【図３０】図３０は、第１の実施形態に係る表示制御機能によって提供される受付手段の他の一例を示す図である。
【図３１】図３１は、第１の実施形態に係る表示制御機能によって提供される受付手段の他の一例を示す図である。
【図３２】図３２は、第１の実施形態に係る変換機能によって行われる処理の流れを示すフローチャートである。
【図３３】図３３は、第１の実施形態に係る変換機能による表示状態の判定の一例を示す図である。
【図３４】図３４は、第１の実施形態に係る変換機能による表示状態の判定の一例を示す図である。
【図３５】図３５は、第１の実施形態に係る変換機能による表示状態の判定の一例を示す図である。
【図３６】図３６は、第１の実施形態に係る変換機能による表示状態の判定の一例を示す図である。
【図３７】図３７は、第１の実施形態に係る変換機能による表示状態の判定の一例を示す図である。
【図３８】図３８は、第１の実施形態に係る変換機能による変換基準点及び変換方向の取得の一例を示す図である。
【図３９】図３９は、第１の実施形態に係る変換機能による変換後状態を示す座標の算出の一例を示す図である。
【図４０】図４０は、第１の実施形態に係る変換機能によって行われる拡大変換の一例を示す図である。
【図４１】図４１は、第１の実施形態に係る変換機能によって行われる拡大変換の他の一例を示す図である。
【図４２】図４２は、第１の実施形態に係る変換機能によって行われる縮小変換の一例を示す図である。
【図４３】図４３は、第１の実施形態に係る変換機能によって行われる縮小変換の他の一例を示す図である。
【図４４】図４４は、第１の実施形態に係る変換機能によって行われる回転変換の一例を示す図である。
【図４５】図４５は、第１の実施形態に係る変換機能によって行われる回転変換の他の一例を示す図である。
【図４６】図４６は、第１の実施形態に係る変換機能によって行われる回転変換の他の一例を示す図である。
【図４７】図４７は、第１の実施形態に係る変換機能によって行われる回転変換の他の一例を示す図である。
【図４８】図４８は、第１の実施形態に係る変換機能によって行われる平行移動変換の一例を示す図である。
【図４９】図４９は、第１の実施形態に係る変換機能によって行われる平行移動変換の他の一例を示す図である。
【図５０】図５０は、第２の実施形態に係る表示制御機能によって提供される受付手段の一例を示す図である。
【図５１】図５１は、第２の実施形態に係る表示制御機能によって表示されるプルダウンメニューの一例を示す図である。
【図５２】図５２は、第２の実施形態に係る粒度マッピングテーブルの一例を示す図である。
【図５３】図５３は、第２の実施形態に係る変換機能による変換後状態を示す座標の算出の一例を示す図である。
【図５４】図５４は、第２の実施形態に係る表示座標マスタテーブルの一例を示す図である。
【図５５】図５５は、第２の実施形態に係る表示座標マスタテーブルに設定される幅方向の座標値の単位を示す図である。
【図５６】図５６は、第２の実施形態に係る変換機能によって行われる拡大又は縮小変換の一例を示す図である。
【図５７】図５７は、第２の実施形態に係る変換機能によって行われる拡大又は縮小変換の他の一例を示す図である。
【図５８】図５８は、第２の実施形態に係る変換機能によって行われる平行移動変換の一例を示す図である。
【図５９】図５９は、第３の実施形態に係る表示制御機能によって提供される受付手段の一例を示す図である。
【発明を実施するための形態】
【０００７】
以下、図面を参照しながら、医用情報処理装置及び医用情報処理方法の実施形態について詳細に説明する。
【０００８】
（第１の実施形態）
図１は、第１の実施形態に係る医用情報処理装置の構成例を示す図である。
【０００９】
例えば、図１に示すように、本実施形態に係る医用情報処理装置１００は、ネットワーク２００を介して、ＨＩＳ（Hospital  Information  System）３００、ＲＩＳ（Radiology  Information  System）４００、ＰＡＣＳ（Picture  Archiving  and  Communication  Systems）５００、及び、医用画像診断装置６００と通信可能に接続される。例えば、これらの装置及びシステムは、病院等に設置され、院内ＬＡＮ（Local  Area  Network）等のネットワーク２００によって相互に接続される。
【００１０】
ここで、医用画像診断装置６００は、被検体から収集したデータに基づいて医用画像を生成する装置である。例えば、医用画像診断装置６００は、Ｘ線診断装置、Ｘ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置等である。
【００１１】
医用情報処理装置１００は、ネットワーク２００を介して、ＨＩＳ３００、ＲＩＳ４００、ＰＡＣＳ５００、及び、医用画像診断装置６００から各種の診療データを取得し、取得した診療データを用いて各種の情報処理を行う。例えば、医用情報処理装置１００は、ワークステーション等のコンピュータ機器によって実現される。
【００１２】
具体的には、医用情報処理装置１００は、Ｉ／Ｆ（インターフェース）回路１１０と、記憶回路１２０と、入力回路１３０と、ディスプレイ１４０と、処理回路１５０とを有する。
【００１３】
Ｉ／Ｆ回路１１０は、処理回路１５０に接続され、ＨＩＳ３００、ＲＩＳ４００、ＰＡＣＳ５００、及び、医用画像診断装置６００との間で行われる各種データの伝送及び通信を制御する。例えば、Ｉ／Ｆ回路１１０は、ＨＩＳ３００、ＲＩＳ４００、ＰＡＣＳ５００、及び、医用画像診断装置６００から診療データを受信し、受信した診療データを処理回路１５０に出力する。例えば、Ｉ／Ｆ回路１１０は、ネットワークカードやネットワークアダプタ、ＮＩＣ（Network  Interface  Controller）等によって実現される。
【００１４】
記憶回路１２０は、処理回路１５０に接続され、各種データを記憶する。例えば、記憶回路１２０は、ＨＩＳ３００、ＲＩＳ４００、ＰＡＣＳ５００、及び、医用画像診断装置６００から受信した診療データを記憶する。例えば、記憶回路１２０は、ＲＡＭ（Random  Access  Memory）、フラッシュメモリ等の半導体メモリ素子や、ハードディスク、光ディスク等によって実現される。
【００１５】
入力回路１３０は、処理回路１５０に接続され、操作者から受け付けた入力操作を電気信号に変換して処理回路１５０に出力する。例えば、入力回路１３０は、トラックボール、スイッチボタン、マウス、キーボード、タッチパネル等によって実現される。
【００１６】
ディスプレイ１４０は、処理回路１５０に接続され、処理回路１５０から出力される各種情報及び各種画像データを表示する。例えば、ディスプレイ１４０は、液晶モニタやＣＲＴ（Cathode  Ray  Tube）モニタ、タッチパネル等によって実現される。
【００１７】
処理回路１５０は、入力回路１３０を介して操作者から受け付けた入力操作に応じて、医用情報処理装置１００の構成要素を制御する。例えば、処理回路１５０は、Ｉ／Ｆ回路１１０から出力される診療データを記憶回路１２０に記憶させる。また、例えば、処理回路１５０は、記憶回路１２０から診療データを読み出し、ディスプレイ１４０に表示する。例えば、処理回路１５０は、プロセッサによって実現される。
【００１８】
以上、本実施形態に係る医用情報処理装置１００の構成例について説明した。このような構成のもと、本実施形態に係る医用情報処理装置１００は、被検体に関する各種の診療データをディスプレイ１４０に表示する。
【００１９】
図２は、第１の実施形態に係る医用情報処理装置１００によって行われる診療データの表示の概要を示す図である。
【００２０】
例えば、図２に示すように、本実施形態に係る医用情報処理装置１００は、被検体に関する画像データや画像の計測値、読影レポート等の各種の診療データを表示画面上に表示する。なお、本実施形態では、被検体が患者である場合の例を説明する。
【００２１】
ここで、各種の診療データを表示画面上に同時に表示する場合には、情報量が多くなることで視認性が低下することがあり得るため、診療データの使用するシーンに応じて、最適にデータ表示を切り替えることが求められる。また、このような診療データの表示では、検査結果の時系列変化に着目する場合や種々のデータを俯瞰的に確認する等のように、診療データを多角的に閲覧するための切り替えが求められる。
【００２２】
このようなことから、本実施形態に係る医用情報処理装置１００は、臨床的な検討目的に応じて、適切な表示形式で診療データを提示するための機能を有する。
【００２３】
具体的には、本実施形態では、処理回路１５０が、取得機能１５１と、表示制御機能１５２と、変換機能１５３とを有する。なお、表示制御機能１５２は、特許請求の範囲における表示制御部の一例である。また、変換機能１５３は、特許請求の範囲における変換部の一例である。
【００２４】
ここで、表示制御機能１５２は、診療データごとに定義されたデータ表示形式に対応付けられた次元を有する診療データ空間に基づいて、診療データを表示する。そして、変換機能１５３は、診療データ空間上で、指定された変換基準点を基準にして空間変換を行うことで、表示制御機能１５２によって表示される診療データの表示を切り替える。なお、本実施形態では、診療データ空間は、幅、深さ及び時間の三つの次元を有する。
【００２５】
このように、本実施形態では、指定された変換基準点を基準にして空間変換を行って診療データの表示を切り替えることで、現在表示されている情報を起点として診療データを多角的に閲覧することができるようにしている。これにより、本実施形態によれば、臨床的な検討目的に応じて、適切な表示形式で診療データを提示することができる。
【００２６】
なお、処理回路１５０が有する各処理機能は、例えば、コンピュータによって実行可能なプログラムの形態で記憶回路１２０に記憶される。処理回路１５０は、各プログラムを記憶回路１２０から読み出し、読み出した各プログラムを実行することで、各プログラムに対応する処理機能を実現する。換言すると、各プログラムを読み出した状態の処理回路１５０は、図１に示した各処理機能を有することとなる。
【００２７】
以下、上述した処理回路１５０が有する各機能について、詳細に説明する。
【００２８】
取得機能１５１は、ＨＩＳ３００、ＲＩＳ４００、ＰＡＣＳ５００、及び、医用画像診断装置６００から各種の診療データを取得し、取得した診療データを、記憶回路１２０によって構築されている統合診療ＤＢ（Data  Base）に記憶させる。例えば、取得機能１５１は、診療データとして、患者情報、オーダ情報、オーダ実施情報、画像検査情報、各種計測情報等の診療に関する情報を取得する。なお、取得機能１５１によって取得される情報は、ＨＩＳ３００、ＲＩＳ４００、ＰＡＣＳ５００、及び、医用画像診断装置６００によって保持されている情報そのものでもよいし、それらの情報を統合した情報であってもよいし、２次利用を目的として作成された情報であってもよい。
【００２９】
例えば、取得機能１５１が上述した診療データをＨＩＳ３００、ＲＩＳ４００、ＰＡＣＳ５００、及び、医用画像診断装置６００から取得する処理は、以下で説明する表示制御機能１５２及び変換機能１５３によって行われる処理とは非同期で実施される。なお、取得機能１５１によって行われる処理は、例えば、処理回路１５０が取得機能１５１に対応する所定のプログラムを記憶回路１２０から読み出して実行することにより実現される。
【００３０】
ここで、統合診療ＤＢは、診療データの種類ごとに用意された複数のテーブルを有する。例えば、統合診療ＤＢは、投薬テーブル、投薬サマリテーブル、画像テーブル、画像計測値テーブル、読影レポートテーブル、心電図テーブル、心電図計測値テーブル、心電図レポートテーブル、バイタルテーブル、バイタルサマリテーブル、看護記録テーブル、検体検査テーブル、検体検査サマリテーブル、及び、検体検査レポートテーブルを有する。
【００３１】
なお、投薬テーブル及び投薬サマリテーブルは、オーダ情報又はオーダ実施情報に基づくテーブルの一例である。また、ここで説明した画像テーブル、画像計測値テーブル及び読影レポートテーブルは、画像検査情報に基づくテーブルの一例である。また、心電図テーブル、心電図計測値テーブル、心電図レポートテーブル、バイタルテーブル、バイタルサマリテーブル、看護記録テーブル、検体検査テーブル、検体検査サマリテーブル、及び、検体検査レポートテーブルは、各種計測情報に基づくテーブルの一例である。
【００３２】
図３は、第１の実施形態に係る投薬テーブルの一例を示す図である。ここで、投薬テーブルは、患者に対して行われた投薬に関する診療データを記憶する。
【００３３】
例えば、図３に示すように、投薬テーブルは、投薬ＩＤと、日時と、データとを対応付けた情報を記憶する。投薬ＩＤには、投薬に関する診療データを一意に識別する識別情報が設定される。日時には、当該投薬が実施された日時が設定される。データには、当該投薬が行われた薬剤を示す情報が設定される。なお、例えば、投薬テーブルは、薬剤の種類ごとに用意される。
【００３４】
図４は、第１の実施形態に係る投薬サマリテーブルの一例を示す図である。ここで、投薬サマリテーブルは、患者に対して複数の時点で行われた投薬をまとめた投薬サマリデータに関する診療データを記憶する。
【００３５】
例えば、図４に示すように、投薬サマリテーブルは、投薬サマリＩＤと、オーダＩＤとを対応付けた情報を記憶する。投薬サマリＩＤには、投薬サマリデータを一意に識別する識別情報が設定される。オーダＩＤには、当該投薬サマリデータに含まれる各投薬の投薬ＩＤが設定される。
【００３６】
なお、オーダ情報又はオーダ実施情報に基づくテーブルとしては、投薬テーブル及び投薬サマリテーブル以外にも、例えば、画像、食事、リハビリ、手術、血管内治療、放射線治療等の各種オーダに関するテーブルや、当該各種オーダの実施に関するテーブルが、さらに統合診療ＤＢに含まれてもよい。
【００３７】
図５は、第１の実施形態に係る画像テーブルの一例を示す図である。ここで、画像テーブルは、患者を撮像した画像に関する診療データを記憶する。
【００３８】
例えば、図５に示すように、画像テーブルは、画像ＩＤと、日時と、データとを対応付けた情報を記憶する。画像ＩＤには、画像に関する診療データを一意に識別する識別情報が設定される。日時には、当該画像が撮像された日時が設定される。データには、当該画像の画像データが設定される。なお、ここでいう画像は、医用画像診断装置６００（例えば、Ｘ線診断装置、Ｘ線ＣＴ装置、ＭＲＩ装置、超音波診断装置、ＳＰＥＣＴ装置、ＰＥＴ装置等の各種医用画像診断装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群等）によって撮像された医用画像である。また、ここでいう画像は、例えば、ＤＩＣＯＭ（Digital  Imaging  and  Communication  in  Medicine）画像（ｄｃｍ）、ＰＮＧ（Portable  Network  Graphics）画像、ＪＰＥＧ（Joint  Photographic  Experts  Group）画像等の形式で生成されたものである。また、ここでいう画像は、静止画であってもよいし、動画であってもよい。
【００３９】
図６は、第１の実施形態に係る画像計測値テーブルの一例を示す図である。ここで、画像計測値テーブルは、患者を撮像した画像に基づいて計測された計測値に関する診療データを記憶する。
【００４０】
例えば、図６に示すように、画像計測値テーブルは、計測値ＩＤと、画像ＩＤと、計測種と、データとを対応付けた情報を記憶する。計測値ＩＤには、画像の計測値に関する診療データを一意に識別する識別情報が設定される。画像ＩＤには、当該計測値の計測に用いられた画像を一意に識別する識別情報が設定される。計測種には、当該計測値の種類（例えば、腫瘍直径、血管径、流量等）を示す情報が設定される。データには、当該計測値が設定される。
【００４１】
図７は、第１の実施形態に係る読影レポートテーブルの一例を示す図である。ここで、読影レポートテーブルは、患者を撮像した画像に基づいて作成された読影レポートに関する診療データを記憶する。
【００４２】
例えば、図７に示すように、読影レポートテーブルは、読影レポートＩＤと、画像ＩＤと、レポートとを対応付けた情報を記憶する。読影レポートＩＤには、読影レポートに関する診療データを一意に識別する識別情報が設定される。画像ＩＤには、当該読影レポートの作成に用いられた画像を一意に識別する識別情報が設定される。レポートには、当該読影レポートの文書データが設定される。なお、ここでいう読影レポートの文書データは、ｄｏｃ形式以外の各種ドキュメント形式、又はテキスト形式であってもよい。
【００４３】
図８は、第１の実施形態に係る心電図テーブルの一例を示す図である。ここで、心電図テーブルは、検査で計測された患者の心電図に関する診療データを記憶する。
【００４４】
例えば、図８に示すように、心電図テーブルは、心電図ＩＤと、日時と、データとを対応付けた情報を記憶する。心電図ＩＤには、心電図に関する診療データを一意に識別する識別情報が設定される。日時には、当該心電図が計測された日時が設定される。データには、当該心電図の画像データが設定される。なお、ここでいう心電図は、例えば、ＰＮＧ画像、ＪＰＥＧ画像等の形式で生成されたものである。また、ここでいう心電図は、ＭＦＥＲ（Medical  waveform  Format  Encoding  Rules）やＣＳＶ（Comma  Separated  Value）で表現される波形データであってもよい。
【００４５】
図９は、第１の実施形態に係る心電図計測値テーブルの一例を示す図である。ここで、心電図計測値テーブルは、患者の心電図に基づいて計測された計測値に関する診療データを記憶する。
【００４６】
例えば、図９に示すように、心電図計測値テーブルは、計測値ＩＤと、心電図ＩＤと、計測種と、データとを対応付けた情報を記憶する。計測値ＩＤには、心電図の計測値に関する診療データを一意に識別する識別情報が設定される。心電図ＩＤには、当該計測値の計測に用いられた心電図を一意に識別する識別情報が設定される。計測種には、当該計測値の種類（例えば、心拍数、Ｐ波高さ、Ｐ波幅等）を示す情報が設定される。データには、当該計測値が設定される。
【００４７】
図１０は、第１の実施形態に係る心電図レポートテーブルの一例を示す図である。ここで、心電図レポートテーブルは、患者の心電図に基づいて作成された心電図レポートに関する診療データを記憶する。
【００４８】
例えば、図１０に示すように、心電図レポートテーブルは、心電図レポートＩＤと、心電図ＩＤと、レポートとを対応付けた情報を記憶する。心電図レポートＩＤには、心電図レポートに関する診療データを一意に識別する識別情報が設定される。心電図ＩＤには、当該心電図レポートの作成に用いられた心電図を一意に識別する識別情報が設定される。レポートには、当該心電図レポートの文書データが設定される。なお、ここでいう心電図レポートの文書データは、ｄｏｃ形式以外の各種ドキュメント形式、又はテキスト形式であってもよい。
【００４９】
図１１は、第１の実施形態に係るバイタルテーブルの一例を示す図である。ここで、バイタルテーブルは、検査で計測された患者のバイタルに関する診療データを記憶する。
【００５０】
例えば、図１１に示すように、バイタルテーブルは、バイタルＩＤと、日時と、データとを対応付けた情報を記憶する。バイタルＩＤには、バイタルに関する診療データを一意に識別する識別情報が設定される。日時には、当該バイタルの計測が行われた日時が設定される。データには、当該バイタルの計測値（例えば、血圧、脈拍、体温等）が設定される。
【００５１】
図１２は、第１の実施形態に係るバイタルサマリテーブルの一例を示す図である。ここで、バイタルサマリテーブルは、患者から複数の時点で計測されたバイタルをまとめたバイタルサマリデータに関する診療データを記憶する。
【００５２】
例えば、図１２に示すように、バイタルサマリテーブルは、バイタルサマリＩＤと、バイタルＩＤとを対応付けた情報を記憶する。バイタルサマリＩＤには、バイタルサマリデータを一意に識別する識別情報が設定される。バイタルＩＤには、当該バイタルサマリデータに含まれる各バイタルのバイタルＩＤが設定される。
【００５３】
図１３は、第１の実施形態に係る看護記録テーブルの一例を示す図である。ここで、看護記録テーブルは、患者のバイタルに基づいて作成された看護記録に関する診療データを記憶する。
【００５４】
例えば、図１３に示すように、看護記録テーブルは、看護記録ＩＤと、バイタルＩＤと、レポートとを対応付けた情報を記憶する。看護記録ＩＤには、看護記録に関する診療データを一意に識別する識別情報が設定される。バイタルＩＤには、当該看護記録の作成に用いられたバイタルを一意に識別する識別情報が設定される。レポートには、当該看護記録の文書データが設定される。なお、ここでいう看護記録の文書データは、ｄｏｃ形式以外の各種ドキュメント形式、又はテキスト形式であってもよい。
【００５５】
図１４は、第１の実施形態に係る検体検査テーブルの一例を示す図である。ここで、検体検査テーブルは、患者の検体検査に関する診療データを記憶する。
【００５６】
例えば、図１４に示すように、検体検査テーブルは、検体検査ＩＤと、日時と、データとを対応付けた情報を記憶する。検体検査ＩＤには、検体検査に関する診療データを一意に識別する識別情報が設定される。日時には、当該検体検査が行われた日時が設定される。データには、当該検体検査の計測値（例えば、尿酸（ＵＡ）、総タンパク（ＴＰ）等の計測値）が設定される。
【００５７】
図１５は、第１の実施形態に係る検体検査サマリテーブルの一例を示す図である。ここで、検体検査サマリテーブルは、患者に対して複数の時点で行われた検体検査をまとめた検体検査サマリデータに関する診療データを記憶する。
【００５８】
例えば、図１５に示すように、検体検査サマリテーブルは、検体検査サマリＩＤと、検体検査ＩＤとを対応付けた情報を記憶する。検体検査サマリＩＤには、検体検査サマリデータを一意に識別する識別情報が設定される。検体検査ＩＤには、当該検体検査サマリデータに含まれる各検体検査の検体検査ＩＤが設定される。
【００５９】
図１６は、第１の実施形態に係る検体検査レポートテーブルの一例を示す図である。ここで、検体検査レポートテーブルは、患者の検体検査に基づいて作成された検体検査レポートに関する診療データを記憶する。
【００６０】
例えば、図１６に示すように、検体検査レポートテーブルは、検体検査レポートＩＤと、検体検査ＩＤと、レポートとを対応付けた情報を記憶する。検体検査レポートＩＤには、検体検査レポートに関する診療データを一意に識別する識別情報が設定される。検体検査ＩＤには、当該検体検査レポートの作成に用いられた検体検査を一意に識別する識別情報が設定される。レポートには、当該検体検査レポートの文書データが設定される。なお、ここでいう検体検査レポートの文書データは、ｄｏｃ形式以外の各種ドキュメント形式、又はテキスト形式であってもよい。
【００６１】
ここで、本実施形態では、上述した各診療データについて、それぞれの閲覧に適したデータ表示形式が定義される。具体的には、データ表示形式は、診療データと、当該診療データを表示する際の具体的な表示形式（例えば、表形式や時系列形式、画像表示形式、心電図表示形式、レポート表示形式等）を示すパネルとの組み合わせによって定義される。
【００６２】
そして、本実施形態では、診療データごとに定義される各データ表示形式は、臨床的な検討目的に応じた様々な観点で分類される。
【００６３】
図１７は、第１の実施形態に係るデータ表示形式の分類の一例を示す図である。
【００６４】
例えば、図１７における上下方向に示すように、各データ表示形式は、介入に関するデータ表示形式と、レスポンスに関するデータ表示形式とに分類される。また、介入に関するデータ表示形式は、投薬に関するデータ表示形式にさらに分類され、投薬に関するデータ表示形式は、薬剤の種類ごとにさらに分類される。また、レスポンスに関するデータ表示形式は、画像に関するデータ表示形式と、心電図に関するデータ表示形式と、バイタルに関するデータ表示形式と、検体検査に関するデータ表示形式とにさらに分類される。
【００６５】
また、別の観点で、例えば、図１７における左右方向に示すように、各データ表示形式は、客観データに関するデータ表示形式と、主観データに関するデータ表示形式とに分類される。また、客観データに関するデータ表示形式は、生データに関するデータ表示形式と、加工データに関するデータ表示形式とにさらに分類され、主観データに関するデータ表示形式は、文字データに関するデータ表示形式にさらに分類される。
【００６６】
また、さらに別の観点で、例えば、図１７における右上がりの斜めの方向に示すように、各データ表示形式は、時系列の時点ごとに分けられて分類される。
【００６７】
ここで、例えば、上述した投薬テーブルに記憶される診療データのデータ表示形式は、図１７の上から１行目及び左から１列目に示すように、投薬及び生データに関するデータ表示形式として分類され、さらに、時系列の時点ごとに分けられて分類される。また、上述した投薬サマリテーブルに記憶される診療データのデータ表示形式は、図１７の上から１行目及び左から２列目に示すように、投薬及び加工データに関するデータ表示形式として分類され、複数の時点の投薬をまとめたデータ形式として分類される。
【００６８】
また、上述した画像テーブルに記憶される診療データのデータ表示形式は、図１７の上から２行目及び左から１列目に示すように、画像及び生データに関するデータ表示形式として分類され、さらに、時系列の時点ごとに分けられて分類される。また、上述した画像計測値テーブルに記憶される診療データのデータ表示形式は、図１７の上から２行目及び左から２列目に示すように、画像及び加工データに関するデータ表示形式として分類され、時系列の時点ごとに分けられて分類される。また、上述した読影レポートテーブルに記憶される診療データのデータ表示形式は、図１７の上から２行目及び左から３列目に示すように、画像及び文字データに関するデータ表示形式として分類され、時系列の時点ごとに分けられて分類される。
【００６９】
また、上述した心電図テーブルに記憶される診療データのデータ表示形式は、図１７の上から３行目及び左から１列目に示すように、心電図及び生データに関するデータ表示形式として分類され、さらに、時系列の時点ごとに分けられて分類される。また、上述した心電図計測値テーブルに記憶される診療データのデータ表示形式は、図１７の上から３行目及び左から２列目に示すように、心電図及び加工データに関するデータ表示形式として分類され、時系列の時点ごとに分けられて分類される。また、上述した読影レポートテーブルに記憶される診療データのデータ表示形式は、図１７の上から３行目及び左から３列目に示すように、心電図及び文字データに関するデータ表示形式として分類され、時系列の時点ごとに分けられて分類される。
【００７０】
また、上述したバイタルテーブルに記憶される診療データのデータ表示形式は、図１７の上から４行目及び左から１列目に示すように、バイタル及び生データに関するデータ表示形式として分類され、さらに、時系列の時点ごとに分けられて分類される。また、上述したバイタルサマリテーブルに記憶される診療データのデータ表示形式は、図１７の上から４行目及び左から２列目に示すように、バイタル及び加工データに関するデータ表示形式として分類され、複数の時点のバイタルの計測値をまとめたデータ形式として分類される。また、上述した看護記録テーブルに記憶される診療データのデータ表示形式は、図１７の上から４行目及び左から３列目に示すように、バイタル及び文字データに関するデータ表示形式として分類され、時系列の時点ごとに分けられて分類される。
【００７１】
また、上述した検体検査テーブルに記憶される診療データのデータ表示形式は、図１７の上から５行目及び左から１列目に示すように、検体検査及び生データに関するデータ表示形式として分類され、さらに、時系列の時点ごとに分けられて分類される。また、上述した検体検査サマリテーブルに記憶される診療データのデータ表示形式は、図１７の上から５行目及び左から２列目に示すように、検体検査及び加工データに関するデータ表示形式として分類され、複数の時点の検体検査の計測値をまとめたデータ形式として分類される。また、上述した検体検査レポートテーブルに記憶される診療データのデータ表示形式は、図１７の上から５行目及び左から３列目に示すように、検体検査及び文字データに関するデータ表示形式として分類され、時系列の時点ごとに分けられて分類される。
【００７２】
そして、本実施形態では、記憶回路１２０が、上述したデータ表示形式の分類に応じて、各データ表示形式を診療データ空間上の座標に対応付けるためのマスタを記憶する。前述したように、本実施形態では、診療データ空間は、幅、深さ及び時間の三つの次元を有しており、それぞれの次元に対応する三つの座標軸で定義される。
【００７３】
例えば、記憶回路１２０は、データ表示形式マスタと、表示座標マスタとを記憶する。ここで、データ表示形式マスタは、統合診療ＤＢに記憶されている診療データをどのような形式（以下、パネルと呼ぶ）で表示するかを示す情報を記憶する。例えば、データ表示形式マスタは、パネルマスタテーブルと、データ表示テーブルとを含む。また、表示座標マスタは、どのパネル及び診療データがどの座標に相当するかのマッピングを示す情報を記憶する。例えば、表示座標マスタは、表示座標マスタテーブルを含む。
【００７４】
図１８は、第１の実施形態に係るパネルマスタテーブルの一例を示す図である。ここで、パネルマスタテーブルは、診療データを表示するための各種のパネルに関する情報を記憶する。
【００７５】
例えば、図１８に示すように、パネルマスタテーブルは、パネルＩＤと、パネルとを対応付けた情報を記憶する。パネルＩＤには、パネルを一意に識別する識別情報が設定される。パネルには、パネルの具体的な形式が設定される。
【００７６】
図１９は、第１の実施形態に係るデータ表示テーブルの一例を示す図である。ここで、データ表示テーブルは、診療データとパネルとの組み合わせで定義されるデータ表示形式に関する情報を記憶する。
【００７７】
例えば、図１９に示すように、データ表示テーブルは、データ表示ＩＤと、パネルＩＤと、データＩＤとを対応付けた情報を記憶する。データ表示ＩＤには、データ表示形式を一意に識別する識別情報が設定される。パネルＩＤには、当該データ表示形式で用いられるパネルのパネルＩＤが設定される。データＩＤには、当該データ形式で表示される診療データのデータＩＤが設定される。
【００７８】
ここで、データＩＤには、前述した投薬ＩＤ（図３を参照）、投薬サマリＩＤ（図４を参照）、画像ＩＤ（図５を参照）、計測値ＩＤ（図６を参照）、読影レポートＩＤ（図７を参照）、心電図ＩＤ（図８を参照）、計測値ＩＤ（図９を参照）、心電図レポートＩＤ（図１０を参照）、バイタルＩＤ（図１１を参照）、バイタルサマリＩＤ（図１２を参照）、看護記録ＩＤ（図１３を参照）、検体検査ＩＤ（図１４を参照）、検体検査サマリＩＤ（図１５を参照）及び検体検査レポートＩＤ（図１６を参照）のいずれかが設定される。これにより、統合診療ＤＢが有する各テーブルに記憶されている診療データについて、それぞれをどのようなパネルで表示するかが定義される。
【００７９】
図２０は、第１の実施形態に係る表示座標マスタテーブルの一例を示す図である。ここで、表示座標マスタテーブルは、診療データとパネルとの組み合わせで定義されるデータ表示形式ごとに診療データ空間上の座標を対応付けた情報を記憶する。
【００８０】
例えば、図２０に示すように、表示座標マスタテーブルは、座標ＩＤと、データ表示ＩＤと、Ｗｉｄｔｈ（幅）と、Ｔｉｍｅ（時間）と、Ｄｅｐｔｈ（深さ）とを対応付けた情報を記憶する。座標ＩＤには、診療データ空間上の座標を一意に識別する識別情報が設定される。データ表示ＩＤには、当該座標に対応付けられたデータ表示形式のデータ表示ＩＤが設定される。Ｗｉｄｔｈ、Ｔｉｍｅ及びＤｅｐｔｈには、当該座標を示す座標値が設定される。
【００８１】
ここで、例えば、図２０に示す例において、座標ＩＤ「Ｃｏｏｒ００７」に対応付けられている座標値（１，（１，２，３），２）、及び、座標ＩＤ「Ｃｏｏｒ００８」に対応付けられている座標値（４，（２〜６），２）は、それぞれ、診療データ空間上の時間方向に沿った線分を表している。また、座標ＩＤ「Ｃｏｏｒ００９」に対応付けられている座標値（５，＊，２）は、診療データ空間上の時間方向に沿った線を表している。このように、Ｗｉｄｔｈ、Ｔｉｍｅ及びＤｅｐｔｈのうちのいずれか一つの座標値に複数の座標値又は「＊」を設定することで、診療データ空間上の線が示される。また、図２０に示す他の情報に設定されている座標値のように、Ｗｉｄｔｈ、Ｔｉｍｅ及びＤｅｐｔｈそれぞれに一つの数値を設定することで、診療データ空間上の点が示される。さらに、図２０には例示していないが、Ｗｉｄｔｈ、Ｔｉｍｅ及びＤｅｐｔｈのうちのいずれか二つの座標値に「＊」を設定することで、診療データ空間上の面が示される。
【００８２】
図２１は、第１の実施形態に係る表示座標マスタによるデータ表示形式と診療データ空間上の座標との対応付けの一例を示す図である。ここで、図２１は、図３に示した各データ表示形式に対して診療データ空間上の座標を対応付けた場合の例を示している。
【００８３】
例えば、図２１に示すように、表示座標マスタによって、診療データごとに定義された各データ表示形式に対して、それぞれの分類に応じて、診療データ空間上の座標（Ｗｉｄｔｈ（幅），Ｔｉｍｅ（時間），Ｄｅｐｔｈ（深さ））が対応付けられる。
【００８４】
例えば、Ｗｉｄｔｈ（幅）方向について、投薬、画像、心電図、バイタル、検体検査の順で座標値が大きくなるように、各データ表示形式に座標が対応付けられる。また、Ｄｅｐｔｈ（深さ）方向について、生データ、加工データ、文字データの順で座標値が大きくなるように、各データ表示形式に座標が対応付けられる。また、Ｔｉｍｅ（時間）方向（図２１における右上がりの斜めの方向）について、時系列の順に座標値が大きくなるように、各データ表示形式に座標が対応付けられる。
【００８５】
なお、上述した例では、統合診療ＤＢに保持される診療データが、生データ、加工データ、文字データごとにテーブルを有する場合の例を説明したが、実施形態はこれに限られない。例えば、統合診療ＤＢは、これとは異なるテーブルの単位で、診療データを記憶してもよい。また、統合診療ＤＢに保持される診療データは上述したものに限られず、他の各種の診療データが用いられてよい。
【００８６】
図１に戻って、表示制御機能１５２及び変換機能１５３について説明する。
【００８７】
表示制御機能１５２は、診療データごとに定義されたデータ表示形式に対応付けられた次元を有する診療データ空間に基づいて、診療データを表示する。また、変換機能１５３は、診療データ空間上で、指定された変換基準点を基準にして空間変換を行うことで、表示制御機能１５２によって表示される診療データの表示を切り替える。
【００８８】
図２２は、第１の実施形態に係る表示制御機能１５２及び変換機能１５３によって行われる処理の流れを示すフローチャートである。ここで、図２２は、表示制御機能１５２及び変換機能１５３によって行われる処理の全体的な流れを示している。
【００８９】
例えば、図２２に示すように、本実施形態では、表示制御機能１５２が、診療データの表示画面を表示する（ステップＳ１１）。具体的には、表示制御機能１５２は、上述した診療データ空間に基づいて、診療データを表示するための表示画面を生成し、生成した表示画面をディスプレイ１４０に表示する。
【００９０】
また、変換機能１５３が、空間変換前の表示状態を取得する（ステップＳ１２）。具体的には、変換機能１５３は、表示画面に表示中の情報、及び、操作者の画面操作に基づいて、空間変換前の表示状態（どの座標を表示しているのか、どの次元(点、線、面等)で表示しているのか）を取得する。ここで、空間変換前の表示状態は、診療データ空間上で、点、線又は平面で示される。なお、以下では、空間変換前の表示状態を「変換前状態」と呼ぶ。
【００９１】
そして、変換機能１５３は、空間変換の基準点を取得する（ステップＳ１３）。具体的には、変換機能１５３は、操作者の画面操作に基づいて、空間変換の基準点を取得する。ここで、空間変換の基準点は、診療データ空間上で、点、線又は面で示される。なお、以下では、空間変換の基準点を「変換基準点」と呼ぶ。
【００９２】
さらに、変換機能１５３は、空間変換の方向を取得する（ステップＳ１４）。具体的には、変換機能１５３は、操作者の画面操作に基づいて、空間変換の方向を取得する。なお、以下では、空間変換の方向を「変換方向」と呼ぶ。
【００９３】
そして、変換機能１５３は、空間変換を行う（ステップＳ１５）。具体的には、変換機能１５３は、取得した変換前状態、変換基準点及び変換方向と、表示座標マスタの情報とに基づいて、空間変換後の表示状態（どの座標を表示するか、どの次元(点、線、面等)で表示するか）を取得する。ここで、空間変換後の表示状態は、診療データ空間上で、点、線又は面で示される。なお、以下では、空間変換後の表示状態を「変換後状態」と呼ぶ。
【００９４】
その後、表示制御機能１５２が、空間変換後の表示画面を表示する（ステップＳ１６）。具体的には、表示制御機能１５２は、変換機能１５３による空間変換によって取得された変換後状態と、データ表示形式マスタ及び統合診療ＤＢの情報とに基づいて、空間変換後の表示画面を生成し、生成した表示画面をディスプレイ１４０に表示する。
【００９５】
なお、上述したステップＳ１１及びＳ１６の処理は、例えば、処理回路１５０が表示制御機能１５２に対応する所定のプログラムを記憶回路１２０から読み出して実行することにより実現される。また、上述したステップＳ１２〜Ｓ１５の処理は、例えば、処理回路１５０が変換機能１５３に対応する所定のプログラムを記憶回路１２０から読み出して実行することにより実現される。
【００９６】
以下、上述した表示制御機能１５２及び変換機能１５３それぞれによって行われる処理について、より詳細に説明する。
【００９７】
まず、表示制御機能１５２について説明する。表示制御機能１５２は、変換機能１５３によって取得される変換後状態と、データ表示形式マスタの情報とを用いて、変換後状態のデータ表示形式（レイアウト、診療データの種類等）を決定する。そして、表示制御機能１５２は、統合診療ＤＢに保持されたデータを用いて表示画面を生成し、生成した表示画面をディスプレイ１４０に表示する。
【００９８】
図２３は、第１の実施形態に係る表示制御機能１５２によって行われる処理の流れを示すフローチャートである。
【００９９】
例えば、図２３に示すように、表示制御機能１５２は、まず、変換機能１５３によって変換後状態として算出された座標に基づいて、表示座標マスタテーブルのデータ表示ＩＤを探索する（ステップＳ２１）。このとき、表示制御機能１５２は、変換機能１５３によって算出された座標が線又は面を表す場合には、複数のデータ表示ＩＤを探索する。
【０１００】
続いて、表示制御機能１５２は、探索したデータ表示ＩＤに基づいて、データ表示形式マスタのデータ表示テーブルからパネルＩＤ及びデータＩＤを取得する（ステップＳ２２）。このとき、表示制御機能１５２は、探索したデータ表示ＩＤが複数存在する場合には、パネルＩＤとデータＩＤとの組み合わせを複数取得する。
【０１０１】
その後、表示制御機能１５２は、取得したデータＩＤに基づいて、統合診療ＤＢから該当するデータを取得し、さらに、取得したパネルＩＤに基づいて、データ表示形式マスタのパネルマスタテーブルから該当するパネルを取得し、当該パネルに取得したデータを当てはめて表示画面を生成する。そして、表示制御機能１５２は、生成した表示画面をディスプレイ１４０に表示する（ステップＳ２３）。
【０１０２】
図２４〜２７は、表示制御機能１５２によって生成される表示画面の一例を示す図である。ここで、図２４〜２７に示す例は、図１７及び２１に例示したデータ表示形式が表示される場合の例である。また、図２４〜２７に示す例は、図５に例示した画像テーブル、図６に例示した画像計測値テーブル、図７に例示した読影レポートテーブル、図１８に例示したパネルマスタテーブル、図１９に例示したデータ表示テーブル、図２０に例示した表示座標マスタテーブルに対応している。なお、以下の説明では、診療データ空間上の位置を示す座標（Ｗｉｄｔｈ，Ｔｉｍｅ，Ｄｅｐｔｈ）を（Ｗ，Ｔ，Ｄ）と簡潔に表す。
【０１０３】
例えば、図２４に示すように、表示制御機能１５２は、変換機能１５３によって算出された座標が（Ｗ，Ｔ，Ｄ）＝（２，１，１）であった場合には、診療データ空間上で当該座標に対応付けられている、画像データのデータ表示形式１を配置した表示画面を生成する。
【０１０４】
具体的には、表示制御機能１５２は、変換機能１５３によって算出された座標（２，１，１）に基づいて、表示座標マスタテーブルから「ＤＶｉｅｗ０００２」のデータ表示ＩＤを取得する。続いて、表示制御機能１５２は、取得した「ＤＶｉｅｗ０００２」のデータ表示ＩＤに基づいて、データ表示テーブルから、「Ｐａｎｅｌ０００３」のパネルＩＤと、「Ｉｍｇ０００１」のデータＩＤとを取得する。その後、表示制御機能１５２は、取得した「Ｉｍｇ０００１」のデータＩＤに基づいて、統合診療ＤＢの画像テーブルから「２０１７０２１０＿１０２０．ｄｃｍ」のデータを取得し、さらに、取得した「Ｐａｎｅｌ０００３」のパネルＩＤに基づいて、パネルマスタテーブルから「画像表示パネル」を取得する。そして、表示制御機能１５２は、取得した「２０１７０２１０＿１０２０．ｄｃｍ」のデータを「画像表示パネル」に当てはめて、画像データのデータ表示形式１を生成し、当該データ表示形式１を配置した表示画面を生成する。
【０１０５】
また、例えば、図２５に示すように、表示制御機能１５２は、変換機能１５３によって算出された座標が（Ｗ，Ｔ，Ｄ）＝（２，１，２）であった場合には、診療データ空間上で当該座標に対応付けられている、画像の計測値のデータ表示形式２を配置した表示画面を生成する。
【０１０６】
具体的には、表示制御機能１５２は、変換機能１５３によって算出された座標（２，１，２）に基づいて、表示座標マスタテーブルから「ＤＶｉｅｗ０００３」のデータ表示ＩＤを取得する。続いて、表示制御機能１５２は、取得した「ＤＶｉｅｗ０００３」のデータ表示ＩＤに基づいて、データ表示テーブルから、「Ｐａｎｅｌ０００１」のパネルＩＤと、「ＩｍｇＭｅｓ０００１」，「ＩｍｇＭｅｓ０００２」，・・・のデータＩＤとを取得する。その後、表示制御機能１５２は、取得した「ＩｍｇＭｅｓ０００１」，「ＩｍｇＭｅｓ０００２」，・・・のデータＩＤに基づいて、統合診療ＤＢの画像計測値テーブルから各データＩＤに対応する計測種及びデータを取得し、さらに、取得した「Ｐａｎｅｌ０００１」のパネルＩＤに基づいて、パネルマスタテーブルから「表形式パネル」を取得する。そして、表示制御機能１５２は、取得した各計測種及び各データを「表形式パネル」に当てはめて、画像の計測値のデータ表示形式２を生成し、当該データ表示形式２を配置した表示画面を生成する。
【０１０７】
また、例えば、図２６に示すように、表示制御機能１５２は、変換機能１５３によって算出された座標が（Ｗ，Ｔ，Ｄ）＝（２，１，３）であった場合には、診療データ空間上で当該座標に対応付けられている、読影レポートのデータ表示形式３を配置した表示画面を生成する。
【０１０８】
具体的には、表示制御機能１５２は、変換機能１５３によって算出された座標（２，１，３）に基づいて、表示座標マスタテーブルから「ＤＶｉｅｗ００１０」のデータ表示ＩＤを取得する。続いて、表示制御機能１５２は、取得した「ＤＶｉｅｗ００１０」のデータ表示ＩＤに基づいて、データ表示テーブルから、「Ｐａｎｅｌ０００５」のパネルＩＤと、「ＩｍｇＲｅｐ０００１」のデータＩＤとを取得する。その後、表示制御機能１５２は、取得した「ＩｍｇＲｅｐ０００１」のデータＩＤに基づいて、統合診療ＤＢの読影レポートテーブルから「レポート０００１．ｄｏｃ」のデータを取得し、さらに、取得した「Ｐａｎｅｌ０００５」のパネルＩＤに基づいて、パネルマスタテーブルから「レポート表示パネル」を取得する。そして、表示制御機能１５２は、取得した「レポート０００１．ｄｏｃ」のデータを「レポート表示パネル」に当てはめて、読影レポートのデータ表示形式３を生成し、当該データ表示形式３を配置した表示画面を生成する。
【０１０９】
また、例えば、図２７に示すように、表示制御機能１５２は、変換機能１５３によって算出された座標が（Ｗ，Ｔ，Ｄ）＝（２，１，＊）であった場合には、診療データ空間上で当該座標によって示される線に含まれる複数の点に対応する診療データを同時に表示するための複数のデータ表示形式１〜３を配置した表示画面を生成する。
【０１１０】
具体的には、表示制御機能１５２は、変換機能１５３によって算出された座標（２，１，＊）に基づいて、表示座標マスタテーブルから、座標（２，１，１）、（２，１，２）及び（２，１，３）に対応する「ＤＶｉｅｗ０００２」、「ＤＶｉｅｗ０００３」及び「ＤＶｉｅｗ００１０」のデータ表示ＩＤを取得する。続いて、表示制御機能１５２は、取得した各データ表示ＩＤに基づいて、データ表示テーブルから、パネルＩＤとデータＩＤの組み合わせとして、「Ｐａｎｅｌ０００３」と「Ｉｍｇ０００１」との組み合わせ、「Ｐａｎｅｌ０００１」と「ＩｍｇＭｅｓ０００１」，「ＩｍｇＭｅｓ０００２」，・・・との組み合わせ、及び、「Ｐａｎｅｌ０００５」と「ＩｍｇＲｅｐ０００１」との組み合わせを取得する。
【０１１１】
その後、表示制御機能１５２は、取得した「Ｐａｎｅｌ０００３」と「Ｉｍｇ０００１」の組み合わせに基づいて、統合診療ＤＢの画像テーブルから「２０１７０２１０＿１０２０．ｄｃｍ」のデータを取得し、パネルマスタテーブルから「画像表示パネル」を取得し、取得した「２０１７０２１０＿１０２０．ｄｃｍ」のデータを「画像表示パネル」に当てはめて、画像データのデータ表示形式１を生成する。また、表示制御機能１５２は、取得した「Ｐａｎｅｌ０００１」と「ＩｍｇＭｅｓ０００１」，「ＩｍｇＭｅｓ０００２」，・・・との組み合わせに基づいて、統合診療ＤＢの画像計測値テーブルから各データＩＤに対応する計測種及びデータを取得し、パネルマスタテーブルから「表形式パネル」を取得し、取得した各計測種及び各データを「表形式パネル」に当てはめて、画像の計測値のデータ表示形式２を生成する。また、表示制御機能１５２は、取得した「Ｐａｎｅｌ０００５」と「ＩｍｇＲｅｐ０００１」との組み合わせに基づいて、統合診療ＤＢの読影レポートテーブルから「レポート０００１．ｄｏｃ」のデータを取得し、パネルマスタテーブルから「レポート表示パネル」を取得し、取得した「レポート０００１．ｄｏｃ」のデータを「レポート表示パネル」に当てはめて、読影レポートのデータ表示形式３を生成する。
【０１１２】
そして、表示制御機能１５２は、生成したデータ表示形式１〜３を並べて配置した表示画面を生成する。このとき、表示制御機能１５２は、データ表示形式マスタのデータ表示テーブルから取得したパネルＩＤとデータＩＤとの組み合わせが複数存在する場合には、複数のデータ表示形式を生成する。そして、表示制御機能１５２は、複数のデータ表示形式を生成した場合には、予め決められたルールに基づいて、表示画面のレイアウトを生成する。例えば、表示制御機能１５２は、左から生データ、加工データ、文字データの順で各データが並んで表示されるように、表示画面のレイアウトを生成する。または、例えば、表示制御機能１５２は、画像に関するデータが左側に大きく表示され、加工データ及び文字データが右側で上下に並んで表示されるように、表示画面のレイアウトを生成する。
【０１１３】
さらに、本実施形態では、表示制御機能１５２は、表示画面を介して、変換前状態、変換基準点、及び変換方向の指定を操作者から受け付けるための受付手段を提供する。
【０１１４】
図２８は、第１の実施形態に係る表示制御機能１５２によって提供される受付手段の一例を示す図である。
【０１１５】
例えば、図２８に示すように、表示制御機能１５２は、複数のデータ表示形式１〜３を変換前状態の単位としてまとめて表示するデータ表示形式４を用いて、当該データ表示形式４の単位で、表示画面上に、変換前状態及び変換方向を指定する操作を受け付けるための操作受付部を配置する。
【０１１６】
例えば、表示制御機能１５２は、当該操作受付部として、複数のデータ表示形式１〜３をまとめたデータ表示形式４の上に、三つのアイコン５を左右方向に並べて配置する。そして、表示制御機能１５２は、三つのアイコン５のうちのいずれかのアイコンに対する操作を受け付けた場合に、当該アイコンが配置されたデータ表示形式が変換前状態として指定されたことを識別する。ここで、例えば、表示制御機能１５２は、左側のアイコンに対する操作が行われた場合には、変換方向として深さ方向が指定されたことを識別する。また、例えば、表示制御機能１５２は、中央のアイコンに対する操作が行われた場合には、変換方向として時間方向が指定されたことを識別する。ここで、例えば、表示制御機能１５２は、右側のアイコンに対する操作が行われた場合には、変換方向として幅方向が指定されたことを識別する。
【０１１７】
さらに、表示制御機能１５２は、複数のデータ表示形式１〜３をまとめたデータ表示形式４に含まれる個々のデータ表示形式の単位で、表示画面上に、変換基準点の指定を受け付けるための操作受付部を配置する。例えば、表示制御機能１５２は、個々のデータ表示形式について、それぞれのパネル内の領域を当該操作受付部とする。そして、表示制御機能１５２は、いずれかのデータ表示形式のパネル内の領域に対する操作を受け付けた場合に、当該データ表示形式が変換基準点として指定されたことを識別する。
【０１１８】
なお、ここでは、点で示されるデータ表示形式をまとめた単位で、変換前状態の指定を受け付ける場合の例を説明したが、実施形態はこれに限られない。例えば、表示制御機能１５２は、複数の点をまとめた線で示されるデータ表示形式、及び、複数の線をまとめた面で示されるデータ表示形式を用いて、線のデータ表示形式ごと、又は、面のデータ表示形式ごとに、変換方向の指定を受け付けてもよい。
【０１１９】
また、例えば、表示制御機能１５２は、予め表示画面上にアイコンを配置するのではなく、操作の種類（操作が行われた表示画面上の位置、マウスのクリックの方法等）に応じて、操作を受け付けてもよい。
【０１２０】
図２９は、第１の実施形態に係る表示制御機能１５２によって提供される受付手段の他の一例を示す図である。
【０１２１】
例えば、図２９に示すように、表示制御機能１５２は、マウスの左クリックによって指定された位置にあるデータ表示形式を変換前状態として識別し、マウスの右クリックによって指定された位置にあるデータ表示形式を変換基準点として識別する。また、例えば、表示制御機能１５２は、マウスの右クリックが行われた場合に、深さ方向を指定するためのアイコン、時間方向を指定するためのアイコン、及び、幅方向を指定するためのアイコンを並べて配置したコンテクストメニュー６を表示することで、変換方向の指定を受け付ける。
【０１２２】
なお、図２９に示す例は、同じデータ表示形式の上で変換前状態及び変換基準点が指定されているため、診療データ空間上の点を指定する操作となる。このように、変換前状態と変換基準点とを同じにする場合には、例えば、左クリックの操作を省略してもよい。この場合には、表示制御機能１５２は、右クリックによって指定された位置にあるデータ表示形式を変換前状態及び変換基準点として識別する。
【０１２３】
また、例えば、表示制御機能１５２は、変換前状態及び変換基準点を指定する操作を受け付ける際に、診療データ空間上の時間方向の点又は線分を指定する操作を受け付けてもよい。
【０１２４】
図３０は、第１の実施形態に係る表示制御機能１５２によって提供される受付手段の他の一例を示す図である。
【０１２５】
例えば、図３０に示すように、表示制御機能１５２は、時間方向の成分を含むデータ表示形式の上に、時間時点又は時間範囲を指定するためのグラフィック７を表示する。そして、例えば、表示制御機能１５２は、マウスのクリックやドラッグ等の操作によって、当該グラフィック７の位置又は大きさを変更する操作を受け付けることで、時間方向の点又は線分を識別する。ここで、例えば、表示制御機能１５２は、表示画面上に時間方向の成分を含むデータ表示形式が複数表示されている場合には、各データ表示形式の上にグラフィック７を表示し、同じ時間時点又は時間範囲を示すように、各グラフィックを連動させる。
【０１２６】
ここで、例えば、表示制御機能１５２は、表示中のデータ表示形式に対応する診療データ空間上の位置を示すガイド情報をさらに表示してもよい。
【０１２７】
図３１は、第１の実施形態に係る表示制御機能１５２によって提供される受付手段の他の一例を示す図である。
【０１２８】
例えば、図３１に示すように、表示制御機能１５２は、表示中のデータ表示形式の診療データ空間上の位置を把握できるようにするために、表示画面上に、診療データ空間に相当するガイド情報８を表示する。例えば、表示制御機能１５２は、ガイド情報８として、横軸を時系列とし、縦軸をデータ種別とした表示形式で、診療データの有無を示すアイコンを表示する。そして、表示制御機能１５２は、ガイド情報８の中で、現在の表示中の診療データに相当する位置を強調表示する。ここで、例えば、表示制御機能１５２は、２次元以上の軸を表示するために、色やアイコン等を用いて強調表示を行ってもよい。
【０１２９】
また、例えば、表示制御機能１５２は、ガイド情報８として表示される軸を、表示中の診療データに応じて動的に切り替えてもよい。例えば、表示制御機能１５２は、画像に関する診療データについて、深さ方向及び時間方向の面を表示している場合には、縦軸は、データ種別の代わりに、深さの軸とする。
【０１３０】
さらに、例えば、表示制御機能１５２は、ガイド情報８上で操作者が変換前状態、変換基準点及び変換方向を指定する操作を受け付けてもよい。この場合には、例えば、表示制御機能１５２は、ガイド情報８上で選択された位置に相当する表示中のデータ表示形式を強調表示する。これにより、操作者が、変換前状態及び変換基準点の選択を直感的に行うことができるようになる。
【０１３１】
次に、変換機能１５３について説明する。変換機能１５３は、操作者によって指定された変換前状態、変換基準点及び変換方向それぞれの座標を取得し、取得した各座標に基づいて空間変換を行うことで、変換後状態を示す座標を算出する。
【０１３２】
図３２は、第１の実施形態に係る変換機能１５３によって行われる処理の流れを示すフローチャートである。
【０１３３】
例えば、図３２に示すように、変換機能１５３は、まず、表示画面に表示中のデータ表示形式の座標を取得する（ステップＳ３１）。このとき、変換機能１５３は、表示制御機能１５２によって提供された受付手段を用いて操作者が変換前状態として指定した全てのデータ表示形式について、表示座標マスタの表示座標マスタテーブルに基づいて、診療データ空間における座標を取得する。このとき、例えば、変換機能１５３は、複数のデータ表示形式をまとめたデータ表示形式が指定された場合には、当該データ表示形式に含まれる全てのデータ表示形式について、座標を取得する。または、変換機能１５３は、操作者からの指示に応じて、表示制御機能１５２によって表示画面に表示されている全てのデータ表示形式について、座標を取得してもよい。
【０１３４】
そして、変換機能１５３は、変換前状態を判定する（ステップＳ３２）。このとき、変換機能１５３は、取得した座標に基づいて、操作者によって選択されたデータ表示形式又は表示画面に表示されているデータ表示形式がどのような表示状態にあるのかを判定する。そして、変換機能１５３は、判定した表示状態を示す座標を、変換前状態を示す座標として設定する。
【０１３５】
図３３〜３７は、第１の実施形態に係る変換機能１５３による表示状態の判定の一例を示す図である。
【０１３６】
例えば、図３３の左側に示すように、（Ｗ，Ｔ，Ｄ）＝（２，１，１）であるデータ表示形式と、（Ｗ，Ｔ，Ｄ）＝（２，１，２）であるデータ表示形式と、（Ｗ，Ｔ，Ｄ）＝（２，１，３）であるデータ表示形式とが表示画面に表示されていたとする。この場合には、例えば、図３３の右側に示すように、変換機能１５３は、これらのデータ表示形式の表示状態が、（Ｗ，Ｔ）＝（２，１）を通り、Ｄ（深さ）方向に伸びる線であると判定する。そして、この場合には、変換機能１５３は、変換前状態を示す座標として、（Ｗ，Ｔ，Ｄ）＝（２，１，＊）を設定する。
【０１３７】
また、例えば、図３４の左側に示すように、（Ｗ，Ｔ，Ｄ）＝（２，１，１）であるデータ表示形式と、（Ｗ，Ｔ，Ｄ）＝（２，２，１）であるデータ表示形式とが表示画面に表示されていたとする。この場合には、例えば、図３４の右側に示すように、変換機能１５３は、これらのデータ表示形式の表示状態が、（Ｗ，Ｄ）＝（２，１）を通り、Ｔ（時間）方向に伸びる線であると判定する。そして、この場合には、変換機能１５３は、変換前状態を示す座標として、（Ｗ，Ｔ，Ｄ）＝（２，＊，１）を設定する。
【０１３８】
また、例えば、図３５の左側に示すように、（Ｗ，Ｔ，Ｄ）＝（５，（１〜４），２）であるデータ表示形式が表示画面に表示されていたとする。この場合には、例えば、図３５の右側に示すように、変換機能１５３は、当該データ表示形式の表示状態が、（Ｗ，Ｄ）＝（５，２）を通り、Ｔ（時間）方向に伸びる線であると判定する。そして、この場合には、変換機能１５３は、変換前状態を示す座標として、（Ｗ，Ｔ，Ｄ）＝（５，＊，２）を設定する。
【０１３９】
また、例えば、図３６の左側に示すように、（Ｗ，Ｔ，Ｄ）＝（１，（２，３），２）であるデータ表示形式と、（Ｗ，Ｔ，Ｄ）＝（５，（１〜４），２）であるデータ表示形式と、（Ｗ，Ｔ，Ｄ）＝（４，（１〜４），２）であるデータ表示形式とが表示画面に表示されていたとする。この場合には、例えば、図３６の右側に示すように、変換機能１５３は、まず、一つ目のデータ表示形式が、（Ｗ，Ｄ）＝（１，２）を通り、Ｔ（時間）方向に伸びる線であると判定し、二つ目のデータ表示形式が、（Ｗ，Ｄ）＝（５，２）を通り、Ｔ（時間）方向に伸びる線であると判定し、三つ目のデータ表示形式が、（Ｗ，Ｄ）＝（４，２）を通り、Ｔ（時間）方向に伸びる線であると判定する。その上で、変換機能１５３は、これらのデータ表示形式の表示状態が、Ｄ＝２を通り、Ｗ（幅）及びＴ（時間）方向に伸びる面であると判定する。そして、この場合には、変換機能１５３は、変換前状態を示す座標として、（Ｗ，Ｔ，Ｄ）＝（＊，＊，２）を設定する。
【０１４０】
また、例えば、図３７の左側に示すように、（Ｗ，Ｔ，Ｄ）＝（２，１，１）であるデータ表示形式と、（Ｗ，Ｔ，Ｄ）＝（２，１，２）であるデータ表示形式と、（Ｗ，Ｔ，Ｄ）＝（２，１，３）であるデータ表示形式と、（Ｗ，Ｔ，Ｄ）＝（１，＊，２）であるデータ表示形式と、（Ｗ，Ｔ，Ｄ）＝（５，＊，２）であるデータ表示形式と、（Ｗ，Ｔ，Ｄ）＝（４，＊，２）であるデータ表示形式とが表示画面に表示されていたとする。この場合には、例えば、図３７の右側に示すように、変換機能１５３は、これらのデータ表示形式の表示状態が、（Ｗ，Ｔ）＝（２，１）を通り、Ｄ（深さ）方向に伸びる線と、Ｄ＝２を通り、Ｗ（幅）及びＴ（時間）方向に伸びる面の二つの状態であると判定する。そして、この場合には、変換機能１５３は、変換前状態を示す座標として、（Ｗ，Ｔ，Ｄ）＝（２，１，＊）と、（Ｗ，Ｔ，Ｄ）＝（＊，＊，２）とを設定する。
【０１４１】
図３２に戻って、続いて、変換機能１５３は、変換基準点を取得する（ステップＳ３３）。このとき、変換機能１５３は、表示制御機能１５２によって提供された受付手段を用いて操作者が変換基準点として指定したデータ表示形式について、表示座標マスタの表示座標マスタテーブルに基づいて、診療データ空間における座標を取得する。そして、変換機能１５３は、取得した座標を、変換基準点を示す座標として設定する。
【０１４２】
続いて、変換機能１５３は、変換方向を取得する（ステップＳ３４）。このとき、変換機能１５３は、表示制御機能１５２によって提供された受付手段を用いて操作者が変換方向として指定した方向について、当該方向を示す座標を、変換方向を示す座標として設定する。
【０１４３】
図３８は、第１の実施形態に係る変換機能１５３による変換基準点及び変換方向の取得の一例を示す図である。
【０１４４】
例えば、図３８に示すように、操作者によって（Ｗ，Ｔ，Ｄ）＝（２，１，１）であるデータ表示形式が変換基準点として指定されたとする。この場合には、変換機能１５３は、当該データ表示形式のデータ表示ＩＤに基づいて、対応する座標（２，１，１）を表示座標マスタから取得する。また、変換機能１５３は、操作者によって時間方向が変換方向として指定された場合には、Ｔ（時間）方向に伸びる線を表すＴ＝＊を、変換方向を示す座標として設定する。
【０１４５】
図３２に戻って、続いて、変換機能１５３は、空間変換を行う（ステップＳ３５）。このとき、変換機能１５３は、上述した処理で得られた変換前状態を示す座標、変換基準点を示す座標、及び、変換方向を示す座標に基づいて、変換後状態を示す座標を算出する。
【０１４６】
図３９は、第１の実施形態に係る変換機能１５３による変換後状態を示す座標の算出の一例を示す図である。
【０１４７】
例えば、図３９の上側に示すように、変換前状態を示す座標が（Ｗ，Ｔ，Ｄ）＝（２，１，＊）であり、変換基準点を示す座標が（Ｗ，Ｔ，Ｄ）＝（２，１，１）であり、変換方向を示す座標がＴ＝＊であったとする。この場合には、変換機能１５３は、変換後状態を示す座標として、（Ｗ，Ｔ，Ｄ）＝（２，＊，１）を算出する。
【０１４８】
すなわち、図３９に示す例では、（Ｗ，Ｔ）＝（２，１）を通り、Ｄ（深さ）方向に伸びる線で示される変換前状態が、（Ｗ，Ｔ，Ｄ）＝（２，１，１）の点で示される変換基準点を基準にして、Ｔ（時間）方向に伸びる線で示される変換方向に空間変換されることで、（Ｗ，Ｔ）＝（２，１）を通り、Ｔ（時間）方向に伸びる線で示される変換後状態に変換される。
【０１４９】
この結果、例えば、図３９の下側に示すように、表示制御機能１５２によって、変換前は、一つの時点について、画像データ、画像の計測値、及び、読影レポートが表示されていた状態が、変換後は、複数の時点について、画像データが表示され、当該一つの時点について、画像の計測値と、読影レポートとが表示された状態に切り替えられることになる。
【０１５０】
このように、変換機能１５３は、空間変換として、診療データ空間上で、点、線又は平面で示される変換前状態を、当該変換前状態で指定された変換基準点を基準にして、他の点、線又は平面で示される変換後状態に変換する。ここで、変換基準点も、診療データ空間上で、点、線又は平面で示される。
【０１５１】
具体的には、変換機能１５３は、空間変換として、診療データ空間における回転、平行移動、拡大又は縮小を行う。
【０１５２】
以下、第１の実施形態に係る変換機能１５３によって行われる空間変換について、具体的な例を挙げて説明する。
【０１５３】
図４０は、第１の実施形態に係る変換機能１５３によって行われる拡大変換の一例を示す図である。ここで、図４０は、点を拡大によって線の表示へ変換する場合の一例を示している。
【０１５４】
例えば、図４０の左側に示すように、操作者によって、変換前状態及び変換基準点として、（Ｗ，Ｔ，Ｄ）＝（ＷA，ＴA，ＤA）であるデータ表示形式が指定され、変換方向として深さ方向（Ｄ＝＊）が指定されたとする。この場合には、例えば、図４０の右側に示すように、変換機能１５３は、変換前状態を示す座標（ＷA，ＴA，ＤA）を、変換後状態を示す座標（ＷA，ＴA，＊）に変換する。
【０１５５】
このような空間変換は、点で示される変換前状態を、当該点で示される変換基準点を基準にして深さ方向に拡大することで、深さ方向に伸びる線で示される変換後状態に変換することに相当する。
【０１５６】
この結果、例えば、図４０に示すように、表示制御機能１５２によって、変換前は、一つの時点について、画像データが表示されていた状態が、変換後は、同じ時点について、画像データと、画像の計測値と、読影レポートとが表示された状態に切り替えられることになる。
【０１５７】
図４１は、第１の実施形態に係る変換機能１５３によって行われる拡大変換の他の一例を示す図である。ここで、図４１は、線を拡大によって面の表示へ変換する場合の例を示している。
【０１５８】
例えば、図４１の左側に示すように、操作者によって、変換前状態及び変換基準点として、（Ｗ，Ｔ，Ｄ）＝（ＷB，＊，ＤB）であるデータ表示形式が指定され、変換方向として幅方向（Ｗ＝＊）が指定されたとする。この場合には、例えば、図４１の右側に示すように、変換機能１５３は、変換前状態を示す座標（ＷB，＊，ＤB）を、変換後状態を示す座標（＊，＊，ＤB）に変換する。
【０１５９】
このような空間変換は、時間方向に伸びる線で示される変換前状態を、当該線で示される変換基準点を基準にして幅方向に拡大することで、幅方向及び時間方向に伸びる面で示される変換後状態に変換することに相当する。
【０１６０】
この結果、例えば、図４１に示すように、表示制御機能１５２によって、変換前は、複数の時点について、検体検査サマリデータが表示されていた状態が、変換後は、当該複数の時点について、投薬サマリデータと、検体検査サマリデータと、バイタルサマリデータが表示された状態に切り替えられることになる。
【０１６１】
図４２は、第１の実施形態に係る変換機能１５３によって行われる縮小変換の一例を示す図である。ここで、図４２は、線を縮小によって点の表示へ変換する場合の一例を示している。
【０１６２】
なお、図４２に示す例では、データ表示形式の上に、変換方向を指定するための三つのアイコンに加えて、指定された方向に縮小することを指定するためのアイコン９がさらに配置される。
【０１６３】
そして、例えば、図４２の左側に示すように、操作者によって、変換前状態として、（Ｗ，Ｔ，Ｄ）＝（ＷC，＊，ＤC）であるデータ表示形式が指定され、変換基準点として、（Ｗ，Ｔ，Ｄ）＝（ＷC，ＴC，ＤC）である位置が指定され、変換方向として時間方向（Ｔ＝＊）が指定され、さらに、当該方向に縮小することを指定されたとする。この場合には、例えば、図４２の右側に示すように、変換機能１５３は、変換前状態を示す座標（ＷC，＊，ＤC）を、変換後状態を示す座標（ＷC，ＴC，ＤC）に変換する。
【０１６４】
このような空間変換は、時間方向に伸びる線で示される変換前状態を、当該線に含まれる一つの点で示される変換基準点を基準にして時間方向に縮小することで、点で示される変換後状態に変換することに相当する。
【０１６５】
この結果、例えば、図４２に示すように、表示制御機能１５２によって、変換前は、複数の時点について、検体検査サマリデータが表示されていた状態が、変換後は、当該複数の時点のうちの一つの時点について、検体検査の計測値が表示された状態に切り替えられることになる。
【０１６６】
図４３は、第１の実施形態に係る変換機能１５３によって行われる縮小変換の他の一例を示す図である。ここで、図４３は、面を縮小によって線の表示へ変換する場合の一例を示している。
【０１６７】
なお、図４３に示す例でも、データ表示形式の上に、変換方向を指定するための三つのアイコンに加えて、指定された方向に縮小することを指定するためのアイコン９がさらに配置される。
【０１６８】
そして、例えば、図４３の左側に示すように、操作者によって、変換前状態として、（Ｗ，Ｔ，Ｄ）＝（＊，＊，ＤD）であるデータ表示形式が指定され、変換基準点として、（Ｗ，Ｔ，Ｄ）＝（＊，ＴD，ＤD）である位置が指定され、変換方向として時間方向（Ｔ＝＊）が指定され、さらに、当該方向に縮小することを指定されたとする。この場合には、例えば、図４３の右側に示すように、変換機能１５３は、変換前状態を示す座標（＊，＊，ＤD）を、変換後状態を示す座標（＊，ＴD，ＤD）に変換する。
【０１６９】
このような空間変換は、幅方向及び時間方向に伸びる面で示される変換前状態を、当該面に含まれる幅方向に伸びる一つの線で示される変換基準点を基準にして時間方向に縮小することで、幅方向に伸びる線で示される変換後状態に変換することに相当する。
【０１７０】
この結果、例えば、図４３に示すように、表示制御機能１５２によって、変換前は、複数の時点について、投薬サマリデータと、検体検査サマリデータと、バイタルサマリデータとが表示されていた状態が、変換後は、当該複数の時点に含まれる一つの時点について、薬剤を示す情報と、検体検査の計測値と、バイタルの計測値とが表示された状態に切り替えられることになる。
【０１７１】
図４４は、第１の実施形態に係る変換機能１５３によって行われる回転変換の一例を示す図である。ここで、図４４は、線を回転変換する場合の一例を示している。
【０１７２】
例えば、図４４の左側に示すように、操作者によって、変換前状態として、（Ｗ，Ｔ，Ｄ）＝（ＷE1，＊，ＤE1）であるデータ表示形式が指定され、変換基準点として、（Ｗ，Ｔ，Ｄ）＝（ＷE1，ＴE1，ＤE1）である位置が指定され、変換方向として深さ方向（Ｄ＝＊）が指定されたとする。この場合には、例えば、図４４の右側に示すように、変換機能１５３は、変換前状態を示す座標（ＷE1，＊，ＤE1）を、変換後状態を示す座標（ＷE1，ＴE1，＊）に変換する。
【０１７３】
このような空間変換は、時間方向に伸びる線で示される変換前状態を、当該線に含まれる一つの点で示される変換基準点を基準にして深さ方向に回転することで、深さ方向に伸びる線で示される変換後状態に変換することに相当する。
【０１７４】
この結果、例えば、図４４に示すように、表示制御機能１５２によって、変換前は、複数の時点について、画像データが表示されていた状態が、変換後は、当該複数の時点に含まれる一つの時点について、画像データと、画像の計測値と、読影レポートとが表示された状態に切り替えられることになる。
【０１７５】
図４５は、第１の実施形態に係る変換機能１５３によって行われる回転変換の他の一例を示す図である。ここで、図４５は、線を回転変換する場合の他の一例を示している。
【０１７６】
例えば、図４５の左側に示すように、操作者によって、変換前状態として、（Ｗ，Ｔ，Ｄ）＝（ＷE2，＊，ＤE2）であるデータ表示形式が指定され、変換基準点として、（Ｗ，Ｔ，Ｄ）＝（ＷE2，ＴE2，ＤE2）である位置が指定され、変換方向として幅方向（Ｗ＝＊）が指定されたとする。この場合には、例えば、図４５の右側に示すように、変換機能１５３は、変換前状態を示す座標（ＷE2，＊，ＤE2）を、変換後状態を示す座標（＊，ＴE2，ＤE2）に変換する。
【０１７７】
このような空間変換は、時間方向に伸びる線で示される変換前状態を、当該線に含まれる一つの点で示される変換基準点を基準にして幅方向に回転することで、幅方向に伸びる線で示される変換後状態に変換することに相当する。
【０１７８】
この結果、例えば、図４５に示すように、表示制御機能１５２によって、変換前は、複数の時点について、検体検査サマリデータが表示されていた状態が、変換後は、当該複数の時点に含まれる一つの時点について、薬剤を示す情報と、検体検査の計測値と、バイタルの計測値とが表示された状態に切り替えられることになる。
【０１７９】
図４６は、第１の実施形態に係る変換機能１５３によって行われる回転変換の他の一例を示す図である。ここで、図４６は、面を回転変換する場合の一例を示している。
【０１８０】
例えば、図４６の左側に示すように、操作者によって、変換前状態として、（Ｗ，Ｔ，Ｄ）＝（＊，＊，ＤF1）であるデータ表示形式が指定され、変換基準点として、（Ｗ，Ｔ，Ｄ）＝（ＷF1，＊，ＤF1）である位置が指定され、変換方向として深さ方向（Ｄ＝＊）が指定されたとする。この場合には、例えば、図４６の右側に示すように、変換機能１５３は、変換前状態を示す座標（＊，＊，ＤF1）を、変換後状態を示す座標（ＷF1，＊，＊）に変換する。
【０１８１】
このような空間変換は、幅方向及び時間方向に伸びる面で示される変換前状態を、当該面に含まれる時間方向に伸びる一つの線で示される変換基準点を基準にして深さ方向に回転することで、時間方向及び深さ方向に伸びる面で示される変換後状態に変換することに相当する。
【０１８２】
この結果、例えば、図４６に示すように、表示制御機能１５２によって、変換前は、複数の時点について、画像の計測値と、検体検査サマリデータと、バイタルサマリデータとが表示されていた状態が、変換後は、当該複数の時点について、画像の計測値と、画像データと、読影レポートとがそれぞれ表示された状態に切り替えられることになる。
【０１８３】
図４７は、第１の実施形態に係る変換機能１５３によって行われる回転変換の他の一例を示す図である。ここで、図４７は、面を回転変換する場合の他の一例を示している。
【０１８４】
例えば、図４７の左側に示すように、操作者によって、変換前状態として、（Ｗ，Ｔ，Ｄ）＝（＊，＊，ＤF2）であるデータ表示形式が指定され、変換基準点として、（Ｗ，Ｔ，Ｄ）＝（＊，ＴF2，ＤF2）である位置が指定され、変換方向として深さ方向（Ｄ＝＊）が指定されたとする。この場合には、例えば、図４７の右側に示すように、変換機能１５３は、変換前状態を示す座標（＊，＊，ＤF2）を、変換後状態を示す座標（＊，ＴF2，＊）に変換する。
【０１８５】
このような空間変換は、幅方向及び時間方向に伸びる面で示される変換前状態を、当該面に含まれる幅方向に伸びる一つの線で示される変換基準点を基準にして深さ方向に回転することで、幅方向及び深さ方向に伸びる面で示される変換後状態に変換することに相当する。
【０１８６】
この結果、例えば、図４７に示すように、表示制御機能１５２によって、変換前は、複数の時点について、画像の計測値と、心電図の計測値とが表示されていた状態が、変換後は、当該複数の時点に含まれる一つの時点について、画像データと、画像の計測値と、読影レポートと、心電図の画像データと、心電図の計測値と、心電図レポートとが表示された状態に切り替えられることになる。
【０１８７】
図４８は、第１の実施形態に係る変換機能１５３によって行われる平行移動変換の一例を示す図である。ここで、図４８は、線を平行移動変換する場合の一例を示している。
【０１８８】
なお、図４８に示す例では、データ表示形式の上に、変換方向として時間方向の前方向又は後方向を指定するためのアイコン１０が配置される。
【０１８９】
そして、例えば、図４８の左側に示すように、操作者によって、変換前状態及び変換基準点として、（Ｗ，Ｔ，Ｄ）＝（＊，ＴG，ＤG）であるデータ表示形式が指定され、変換方向として時間方向の前方向（−Ｔ）が指定されたとする。この場合には、例えば、図４８の右側に示すように、変換機能１５３は、変換前状態を示す座標（＊，ＴG，ＤG）を、変換後状態を示す座標（＊，ＴG−Ｔ，ＤG）に変換する。
【０１９０】
このような空間変換は、幅方向に伸びる線で示される変換前状態を、当該線で示される変換基準点を基準にして時間方向に平行移動することで、幅方向に伸びる他の線で示される変換後状態に変換することに相当する。
【０１９１】
この結果、例えば、図４８に示すように、表示制御機能１５２によって、変換前は、一つの時点について、薬剤を示す情報と、検体検査の計測値と、バイタルの計測値とが表示されていた状態が、変換後は、他の一つの時点について、薬剤を示す情報と、検体検査の計測値と、バイタルの計測値とが表示された状態に切り替えられることになる。
【０１９２】
図４９は、第１の実施形態に係る変換機能１５３によって行われる平行移動変換の他の一例を示す図である。ここで、図４９は、面を平行移動変換する場合の一例を示している。
【０１９３】
なお、図４９に示す例では、データ表示形式の上に、変換方向として深さ方向の前方向又は後方向を指定するためのアイコン１１が配置される。
【０１９４】
そして、例えば、図４９の左側に示すように、操作者によって、変換前状態及び変換基準点として、（Ｗ，Ｔ，Ｄ）＝（＊，＊，ＤH）であるデータ表示形式が指定され、変換方向として幅方向の後方向（＋Ｄ）が指定されたとする。この場合には、例えば、図４９の右側に示すように、変換機能１５３は、変換前状態を示す座標（＊，＊，ＤH）を、変換後状態を示す座標（＊，＊，ＤH＋Ｄ）に変換する。
【０１９５】
このような空間変換は、幅方向及び時間方向に伸びる面で示される変換前状態を、当該面で示される変換基準点を基準にして深さ方向に平行移動することで、幅方向及び時間方向に伸びる他の面で示される変換後状態に変換することに相当する。
【０１９６】
この結果、例えば、図４９に示すように、表示制御機能１５２によって、変換前は、複数の時点について、画像の計測値と、心電図の計測値とが表示されていた状態が、変換後は、当該複数の時点について、画像データと、心電図の画像データとが表示された状態に切り替えられることになる。
【０１９７】
以上、いくつかの例を説明したが、変換機能１５３によって行われる空間変換は、上述したような２次元の空間変換に限られない。例えば、変換機能１５３は、面から空間への拡大、空間の回転や平行移動、空間から面への縮小等のような三次元以上の空間変換を行ってもよい。
【０１９８】
上述したように、第１の実施形態では、診療データごとに定義されたデータ表示形式に対応付けられた次元を有する診療データ空間上で、操作者によって指定された変換基準点を基準にして空間変換を行うことで、診療データの表示の切り替えが行われる。
【０１９９】
例えば、従来技術の中には、多角的に情報を把握するための手段として、２種類の属性（日付、データ項目）に分類された情報を表形式に表示し、３通りの選択方式に応じて３通りの表示形式で表示する技術がある。
【０２００】
ここで、一般的に、多角的に情報を把握する際には、現在表示されている情報を起点として、視点の切り替えが行われる。例えば、俯瞰的な検査結果の確認において、気になる検査結果があれば、その検査結果の詳細を確認する、又は、その検査結果の時間的な推移を確認する、等の視点に切り替えが行われる。また、詳細な検査結果の確認においても、気になる検査結果があれば、その直前の治療内容（投薬等）と比較する、または、他の患者の検査結果と比較する、等の視点に切り替えが行われる。
【０２０１】
しかしながら、上述した従来技術では、表示形式の切り替え時に、現在表示されている情報や注目している情報は考慮されないため、切り替えの前後で表示内容の関連性や注目点の情報が失われてしまう。その結果、操作者にとって直観的かつ臨床的に意味のある切り替えにならず、操作者が患者状態や治療内容等を把握することを妨げてしまうことがあり得る。この他にも、上述した従来技術では、表形式の表示は２種類の属性に限定されるため、分析の視点が限られてしまうことがあり得る。例えば、異なる詳細度のデータを比較する場合や、同じデータの異なる患者間のデータで比較する場合等、表形式及びその選択方式では、これらを含めた切り替えは実現できない。
【０２０２】
このような従来技術に対し、第１の実施形態では、指定された変換基準点を基準にして空間変換を行って診療データの表示を切り替えることで、現在表示されている情報を起点として診療データを多角的に閲覧することができる。したがって、本実施形態によれば、臨床的な検討目的に応じて、適切な表示形式で診療データを提示することができる。
【０２０３】
（第２の実施形態）
なお、上述した実施形態では、変換機能１５３が、操作者によって指定された変換前状態、変換基準点及び変換方向に基づいて、空間変換を行う場合の例を説明したが、実施形態はこれに限られない。
【０２０４】
例えば、変換機能１５３は、さらに、指定された変換量に基づいて、空間変換を行ってもよい。以下では、このような例を第２の実施形態として説明する。なお、第２の実施形態では、上述した実施形態と異なる点を中心に説明することとし、上述した実施形態と重複する内容については説明を省略する。
【０２０５】
本実施形態では、表示制御機能１５２は、表示画面を介して、空間変換の変換量を指定する操作を操作者から受け付けるための受付手段を提供する。
【０２０６】
図５０は、第２の実施形態に係る表示制御機能１５２によって提供される受付手段の一例を示す図である。
【０２０７】
例えば、図５０に示すように、表示制御機能１５２は、変換方向を指定するためのアイコンに対する操作が行われた場合に、変換量を指定するための操作受付部を表示画面上に表示する。例えば、表示制御機能１５２は、変換量を指定するための操作受付部として、診療データの分類を列挙したプルダウンメニュー１２を表示する。
【０２０８】
図５１は、第２の実施形態に係る表示制御機能１５２によって表示されるプルダウンメニュー１２の一例を示す図である。
【０２０９】
例えば、図５１に示すように、表示制御機能１５２によって表示されるプルダウンメニュー１２には、「介入」、「レスポンス」等の分類を示す情報が列挙される。
【０２１０】
この場合に、例えば、記憶回路１２０は、統合診療ＤＢの一つとして、診療データの分類ごとに変換量を定義した粒度マッピングテーブルを記憶する。
【０２１１】
図５２は、第２の実施形態に係る粒度マッピングテーブルの一例を示す図である。
【０２１２】
例えば、図５２に示すように、粒度マッピングテーブルは、マッピングＩＤと、名称と、テーブルとを対応付けた情報を記憶する。マッピングＩＤには、診療データの分類を一意に識別する識別情報が設定される。名称には、当該分類の名称が設定される。テーブルには、当該分類に対応する方向の変換量を示す情報として、表示対象とする診療データのテーブルを示す情報が設定される。
【０２１３】
そして、本実施形態では、変換機能１５３は、操作者によって指定された変換前状態、変換基準点、変換方向及び変換量に基づいて、空間変換を行う。具体的には、変換機能１５３は、取得した変換前状態、変換基準点、変換方向と、表示座標マスタの情報と、粒度マッピングテーブルの情報とに基づいて、変換後状態の座標及び次元を取得する。
【０２１４】
図５３は、第２の実施形態に係る変換機能１５３による変換後状態を示す座標の算出の一例を示す図である。
【０２１５】
例えば、図５３の左上から右側にかけて示すように、変換機能１５３は、変換前状態を示す座標が（Ｗ，Ｔ，Ｄ）＝（５，＊，２）であり、変換基準点を示す座標が（Ｗ，Ｔ，Ｄ）＝（５，＊，２）であり、変換方向を示す座標がＷ＝＊であり、変換量がＷ＝＋１であった場合には、変換後状態を示す座標として、（Ｗ，Ｔ，Ｄ）＝（（１，５），＊，２）を算出する。ここで、変換量がＷ＝＋１であることは、（Ｗ，Ｔ，Ｄ）＝（５，＊，２）であるデータ表示形式に加えて、（Ｗ，Ｔ，Ｄ）＝（１，＊，２）であるデータ表示形式をさらに表示することを意味する。
【０２１６】
この場合に、変換機能１５３は、操作者によって、プルダウンメニュー１２に表示されている分類の中から指定された分類、及び、指定された変換方向に基づいて、粒度マッピングテーブルに記憶されているテーブルの情報を参照して、表示対象とする診療データを取得する。また、変換機能１５３は、取得した診療データと、変換前状態に含まれている診療データとを比較することで、表示対象として追加又は削除するデータ表示形式を特定する。
【０２１７】
この結果、例えば、図５３の左上から右側にかけて示すように、表示制御機能１５２によって、変換前は、検体検査に関する診療データとして、複数の時点について、検体検査サマリデータが表示されていた状態が、変換後は、当該検体検査サマリデータに加えて、投薬に関する診療データとして、当該複数の時点について、投薬サマリデータが表示された状態に切り替えられることになる。
【０２１８】
例えば、上述した第１の実施形態で説明したように、変換量を用いない場合には、変換機能１５３は、変換後状態を示す座標として、（Ｗ，Ｔ，Ｄ）＝（＊，＊，２）を算出することになる。この場合には、表示画面に表示されるデータ表示形式の数が多くなる結果、表示される診療データの量が多くなり、表示画面の情報が見にくくなることがあり得る（図５３の左下を参照）。これに対し、第２の実施形態では、変換量を用いて空間変換を行うことで、表示画面に表示される診療データの数を調整することができ、表示画面の情報を見やすくすることができる。
【０２１９】
なお、上述した例では、粒度マッピングテーブルを用いた場合の例を説明したが、実施形態はこれに限られない。例えば、表示座標マスタの表示座標マスタテーブルに、変換量を示す情報を含めてもよい。
【０２２０】
図５４は、第２の実施形態に係る表示座標マスタテーブルの一例を示す図である。また、図５５は、第２の実施形態に係る表示座標マスタテーブルに設定される幅方向の座標値の単位を示す図である。
【０２２１】
例えば、図５４に示すように、幅方向の座標値について、図２０に示したＷｉｄｔｈに替えて、異なる変換量を示す情報として、Ｗｉｄｔｈ大及びＷｉｄｔｈ小の二つの座標値を記憶する。
【０２２２】
ここで、例えば、図５５に示すように、Ｗｉｄｔｈ大には、介入に関するデータ、及び、レスポンスに関するデータの単位で、座標値が設定される。また、Ｗｉｄｔｈ小には、投薬に関するデータ、画像に関するデータ、心電図に関するデータ、バイタルに関するデータ、及び、検体検査に関するデータの単位で、座標値が設定される。これにより、Ｗｉｄｔｈ大に設定される座標値は、Ｗｉｄｔｈ小に設定される座標値と比べて、一つの座標値により多くのデータ表示ＩＤが対応付けられるように設定されることになる。
【０２２３】
この場合には、例えば、表示制御機能１５２は、「大」を示す情報と「小」を示す情報とを含んだプルダウンメニュー１２を表示する。そして、変換機能１５３は、操作者によって「大」が指定された場合には、表示座標マスタテーブルのＷｉｄｔｈ大に設定されている座標値に基づいて、空間変換を行う。また、変換機能１５３は、操作者によって「小」が指定された場合には、表示座標マスタテーブルのＷｉｄｔｈ小に設定されている座標値に基づいて、空間変換を行う。
【０２２４】
この結果、表示制御機能１５２によって、操作者によって「大」が指定された場合には、操作者によって「小」が指定された場合と比べて、より多くの診療データが表示画面上に表示されることになる。
【０２２５】
以下、第２の実施形態に係る変換機能１５３によって行われる空間変換について、具体的な例を挙げて説明する。
【０２２６】
図５６は、第２の実施形態に係る変換機能１５３によって行われる拡大又は縮小変換の一例を示す図である。ここで、図５６は、幅方向の拡大又は縮小範囲を指定する場合の一例を示している。
【０２２７】
なお、図５６に示す例では、データ表示形式の上に、変換量を指定するための操作受付部として、診療データの分類を指定するためのプルダウンメニュー１２が表示される。例えば、図５６に示すように、表示制御機能１５２によって表示されるプルダウンメニュー１２には、「介入」、「レスポンス」等の分類を示す情報が列挙される。
【０２２８】
そして、例えば、図５６の左側に示すように、操作者によって、変換前状態及び変換基準点として、（Ｗ，Ｔ，Ｄ）＝（５，＊，２）であるデータ表示形式が指定され、変換方向として幅方向（Ｗ＝＊）が指定されたとする。
【０２２９】
ここで、さらに、操作者によって、変換量として「介入」が指定された場合には、例えば、図５６の右上に示すように、変換機能１５３は、変換前状態を示す座標（５，＊，２）を、変換後状態を示す座標（（１，５），＊，２）に変換する。
【０２３０】
このような空間変換は、時間方向に伸びる線で示される変換前状態を、当該線で示される変換基準点を基準にして介入の範囲内で幅方向に拡大することで、幅方向及び時間方向に伸びる面で示される変換後状態に変換することに相当する。
【０２３１】
この結果、例えば、図５６の左側から右上にかけて示すように、表示制御機能１５２によって、変換前は、複数の時点について、検体検査サマリデータが表示されていた状態が、変換後は、当該複数の時点について、投薬サマリデータと、検体検査サマリデータとが表示された状態に切り替えられることになる。
【０２３２】
一方、操作者によって、変換量として「レスポンス」が指定された場合には、例えば、図５６の右下に示すように、変換機能１５３は、変換前状態を示す座標（５，＊，２）を、変換後状態を示す座標（（２〜５），＊，２）に変換する。
【０２３３】
このような空間変換は、時間方向に伸びる線で示される変換前状態を、当該線で示される変換基準点を基準にしてレスポンスの範囲内で幅方向に拡大することで、幅方向及び時間方向に伸びる面で示される変換後状態に変換することに相当する。
【０２３４】
この結果、例えば、図５６の左側から右下にかけて示すように、表示制御機能１５２によって、変換前は、複数の時点について、検体検査サマリデータが表示されていた状態が、変換後は、当該複数の時点について、検体検査サマリデータと、バイタルサマリデータと、画像の計測値と、心電図の計測値とが表示された状態に切り替えられることになる。
【０２３５】
図５７は、第２の実施形態に係る変換機能１５３によって行われる拡大又は縮小変換の他の一例を示す図である。ここで、図５７は、時間方向の拡大又は縮小範囲を指定する場合の一例を示している。
【０２３６】
なお、図５７に示す例では、データ表示形式の上に、変換量を指定するための操作受付部として、時間方向の範囲を指定するためのプルダウンメニュー１３が表示される。ここで、例えば、プルダウンメニュー１３には、「選択範囲まで」、「イベント前後」、「全時間範囲」が列挙される。
【０２３７】
例えば、図５７の左側に示すように、操作者によって、変換前状態及び変換基準点として、（Ｗ，Ｔ，Ｄ）＝（２，１，１）であるデータ表示形式が指定され、変換方向として時間方向（Ｔ＝＊）が指定されたとする。
【０２３８】
ここで、さらに、操作者によって、変換量として「選択範囲まで」が指定された場合には、例えば、図５７の右上に示すように、変換機能１５３は、変換前状態を示す座標（２，１，１）を、変換後状態を示す座標（２，（１，２），１）に変換する。
【０２３９】
このような空間変換は、点で示される変換前状態を、当該点で示される変換基準点を基準にして選択範囲まで時間方向に拡大することで、時間方向に伸びる線で示される変換後状態に変換することに相当する。
【０２４０】
この結果、例えば、図５７の左側から右上にかけて示すように、表示制御機能１５２によって、変換前は、一つの時点について、画像データが表示されていた状態が、変換後は、当該一つの時点から選択範囲までの複数の時点について、画像データが表示された状態に切り替えられることになる。
【０２４１】
一方、操作者によって、移動量として「イベント前後」が指定された場合には、例えば、図５７の右下に示すように、変換機能１５３は、変換前状態を示す座標（２，１，１）を、変換後状態を示す座標（２，（１〜３），１）に変換する。
【０２４２】
このような空間変換は、点で示される変換前状態を、当該点で示される変換基準点を基準にしてイベントを跨ぐまで時間方向に拡大することで、時間方向に伸びる線で示される変換後状態に変換することに相当する。
【０２４３】
この結果、例えば、図５７の左側から右下にかけて示すように、表示制御機能１５２によって、変換前は、一つの時点について、画像データが表示されていた状態が、変換後は、当該一つの時点からイベントを跨ぐまでの複数の時点について、画像データが表示された状態に切り替えられることになる。
【０２４４】
図５８は、第２の実施形態に係る変換機能１５３によって行われる平行移動変換の一例を示す図である。ここで、図５８は、時間方向の移動量を指定する場合の一例を示している。
【０２４５】
なお、図５８に示す例では、データ表示形式の上に、変換量を指定するための操作受付部として、時間方向の移動量を指定するためのプルダウンメニュー１４が表示される。例えば、図５８に示す例では、プルダウンメニュー１４には、「前回」、「１ヵ月前」、「１年前」、「イベント前」が列挙される。
【０２４６】
例えば、図５８の左側に示すように、変換機能１５３は、操作者によって、変換前状態及び変換基準点として、（Ｗ，Ｔ，Ｄ）＝（２，２，＊）であるデータ表示形式が指定され、変換方向として時間方向（Ｔ＝＊）が指定されたとする。
【０２４７】
ここで、さらに、操作者によって、移動量として「前回」が指定された場合には、例えば、図５８の右上に示すように、変換機能１５３は、変換前状態を示す座標（２，２，＊）を、変換後状態を示す座標（２，１，＊）に変換する。
【０２４８】
このような空間変換は、深さ方向に伸びる線で示される変換前状態を、当該線で示される変換基準点を基準にして前回まで時間方向に移動することで、深さ方向に伸びる他の線で示される変換後状態に変換することに相当する。
【０２４９】
この結果、例えば、図５８の左側から右上にかけて示すように、表示制御機能１５２によって、変換前は、一つの時点について、画像データと、画像の計測値と、読影レポートとが表示されていた状態が、変換後は、当該一つの時点の前回の時点について、画像データと、画像の計測値と、読影レポートとが表示された状態に切り替えられることになる。
【０２５０】
一方、操作者によって、移動量として「イベント前」が指定された場合には、例えば、図５８の右下に示すように、変換機能１５３は、変換前状態を示す座標（２，２，＊）を、変換後状態を示す座標（２，５，＊）に変換する。
【０２５１】
このような空間変換は、深さ方向に伸びる線で示される変換前状態を、当該線で示される変換基準点を基準にして所定のイベント前まで時間方向に移動することで、深さ方向に伸びる他の線で示される変換後状態に変換することに相当する。
【０２５２】
この結果、例えば、図５８の左側から右下にかけて示すように、表示制御機能１５２によって、変換前は、一つの時点について、画像データと、画像の計測値と、読影レポートとが表示されていた状態が、変換後は、当該一つの時点とは異なるイベント前の時点について、画像データと、画像の計測値と、読影レポートとが表示された状態に切り替えられることになる。
【０２５３】
上述したように、第２の実施形態では、変換前状態、変換基準点及び変換方向に加えて、指定された変換量に基づいて、空間変換が行われる。したがって、第２の実施形態によれば、空間変換の変換量を取得することで、変換方向等だけでは特定できない変換後の表示範囲を任意に指定することができるようになる。
【０２５４】
例えば、幅方向の拡大変換では、データの種類が増えた場合に診療データの表示量が多くなり、それにより診療データの視認性が低下することがあり得る。これに対し、第２の実施形態では、変換量を指定することによって、適切な拡大範囲に制限する（表示するデータ種を制限する）ことができ、診療データの視認性を高めることが可能になる。また、時間方向の平行移動変換では、移動量を指定することによって、所望の時点の診療データへの変換が容易になる。
【０２５５】
（第３の実施形態）
なお、上述した実施形態では、診療データ空間において、データ表示形式が、幅方向、時間方向及び深さ方向に対応付けられる場合の例を説明したが、実施形態はこれに限られない。
【０２５６】
例えば、診療データ空間は、患者に対応する次元をさらに有してもよい。以下では、このような例を第３の実施形態として説明する。なお、第３の実施形態では、上述した実施形態と異なる点を中心に説明することとし、上述した実施形態と重複する内容については説明を省略する。
【０２５７】
本実施形態では、表示制御機能１５２は、表示画面を介して、患者方向の位置を指定する操作を操作者から受け付けるための受付手段を提供する。
【０２５８】
図５９は、第３の実施形態に係る表示制御機能１５２によって提供される受付手段の一例を示す図である。
【０２５９】
例えば、図５９に示すように、表示制御機能１５２は、データ表示形式の上に、変換方向を指定するための三つのアイコンに加えて、患者方向への変換を指定するためのアイコン１５をさらに配置する。
【０２６０】
そして、本実施形態では、変換機能１５３は、操作者によって患者方向への変換が指定された場合に、変換前状態が指定された際に表示されていた該当患者の診療データと同じデータ表示形式で、他の患者の診療データを表示する。ここで、例えば、患者（Ｐ）方向をさらに含む診療データ空間の座標は、（Ｗ，Ｔ，Ｄ，Ｐ）で示される。
【０２６１】
例えば、図５９に示すように、変換機能１５３は、操作者によって、変換前状態及び変換基準点として、（Ｗ，Ｔ，Ｄ，Ｐ）＝（Ｗ#，＊，Ｄ#，Ｐ#）であるデータ表示形式が指定され、変換方向として患者方向（Ｐ＝＊）が指定された場合には、変換前状態を示す座標（Ｗ#，＊，Ｄ#，Ｐ#）を、変換後状態を示す座標（Ｗ#，＊，Ｄ#，＊）に変換する。
【０２６２】
このような空間変換は、時間方向に伸びる線で示される変換前状態を、当該線で示される変換基準点を基準にして患者方向に縮小することで、時間方向及び患者方向に伸びる面で示される変換後状態に変換することに相当する。
【０２６３】
この結果、例えば、図５９に示すように、表示制御機能１５２によって、変換前は、該当患者について、投薬、検体検査及びバイタルに関する診療データとして、投薬サマリデータ、検体検査サマリデータ、及び、バイタルサマリデータが表示されていた状態が、変換後は、該当患者、患者Ａ、患者Ｂ及び患者Ｃそれぞれについて、検体検査に関する診療データとして、検体検査サマリデータが表示された状態に切り替えられることになる。
【０２６４】
なお、ここでは、他の患者の診療データを患者ごとに表示する場合の例について説明したが、実施形態はこれに限られない。例えば、他の患者の診療データについては、平均値等でまとめて一つのデータ表示形式として表示してもよい。
【０２６５】
また、表示対象となる患者は、疾患や診療のフェーズ等で絞り込んでもよいし、操作者又はシステムが特定した患者に限定してもよい。また、第２の実施形態のように空間変換の変換量を指定することによって、表示対象となる患者を操作者が指定できるようにしてもよい。
【０２６６】
上述したように、第３の実施形態では、診療データ空間が、患者に対応する次元をさらに有する。したがって、第３の実施形態によれば、患者軸を含めた次元からなるデータ表示の切り替えが可能になる。これにより、任意のデータ表示形式において、患者を横断した診療データの比較が可能になる。
【０２６７】
（第４の実施形態）
なお、上述した実施形態では、診療データ空間と各種の診療データとの対応付けを固定した場合の例を説明したが、実施形態はこれに限られない。
【０２６８】
例えば、診療データ及び診療データ空間は、変換機能１５３は、疾病、操作者又は診療フェーズに応じて動的に変更されてもよい。なお、ここでいう操作者は、医師、放射線科医、看護師等である。また、診療フェーズは、外来、診断、術前、術後等である。
【０２６９】
例えば、表示制御機能１５２及び変換機能１５３は、疾病、操作者又は診療フェーズに応じて、診療データ空間に対応付けられる診療データの種類を変更する。または、例えば、表示制御機能１５２及び変換機能１５３は、疾病、操作者又は診療フェーズに応じて、診療データ空間上で各データ表示形式に対応付けられている座標を変更する。
【０２７０】
この場合には、例えば、記憶回路１２０が、必要な種類の診療データを記憶したテーブルを統合診療ＤＢに保持しておき、各診療データのデータ表示形式をデータ表示形式マスタに記憶しておく。さらに、記憶回路１２０は、疾病、操作者又は診療フェーズごとに、データ表示形式マスタと表示座標マスタとの組み合わせを記憶しておく。そして、例えば、表示制御機能１５２及び変換機能１５３が、疾病、操作者の職種又は診療フェーズの指定を操作者から受け付け、受け付けた内容に応じて、各処理に用いるデータ表示形式マスタ及び表示座標マスタを切り替える。
【０２７１】
例えば、表示制御機能１５２及び変換機能１５３は、疾病が心不全の場合は、診療データとして食事データを用い、癌の場合は、診療データとして病児画像を用いるように、データ表示形式マスタ及び表示座標マスタを切り替える。
【０２７２】
また、例えば、表示制御機能１５２及び変換機能１５３は、操作者の職種が放射線科医である場合には、診療データとして、画像の読影レポートの代わりに臨床アプリケーションの画面データを用いるように、データ表示形式マスタ及び表示座標マスタを切り替える。また、例えば、表示制御機能１５２及び変換機能１５３は、操作者の職種が内科医の場合には、診療データとして、介入及びレスポンスに関するデータを用い、放射線科医である場合には、ＨＩＳ３００、ＲＩＳ４００及びＰＡＣＳ５００から取得したデータを用いるように、データ表示形式マスタ及び表示座標マスタを切り替える。
【０２７３】
また、例えば、表示制御機能１５２及び変換機能１５３は、診療フェーズが外来である場合には、診療データとして、バイタルや看護記録を含まないように、データ表示形式マスタ及び表示座標マスタを切り替える。
【０２７４】
上述したように、第４の実施形態では、疾病、操作者又は診療フェーズに応じて、診療データ及び診療データ空間が動的に変更される。したがって、第４の実施形態によれば、臨床的な検討目的に応じて、より適切に診療データの表示を切り替えることができる。
【０２７５】
なお、上述した実施形態では、診療データ空間が三つの次元を有する場合の例を説明したが、実施形態はこれに限られない。診療データ空間の次元数は、三つ未満であってもよいし、四つ以上であってもよい。
【０２７６】
また、上述した実施形態では、上述した各処理機能が単一の処理回路１５０によって実現される場合の例を説明したが、実施形態はこれに限られない。例えば、処理回路１５０は、複数の独立したプロセッサを組み合わせて構成され、各プロセッサが各プログラムを実行することにより各処理機能を実現するものとしても構わない。また、処理回路１５０が有する各処理機能は、単一又は複数の処理回路に適宜に分散又は統合されて実現されてもよい。
【０２７７】
また、上述した説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。プロセッサは、記憶回路１２０に保存されたプログラムを読み出して実行することで、機能を実現する。なお、記憶回路１２０にプログラムを保存する代わりに、プロセッサの回路内にプログラムを直接組み込むように構成しても構わない。この場合は、プロセッサは回路内に組み込まれたプログラムを読み出して実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【０２７８】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【０２７９】
以上説明した少なくとも一つの実施形態によれば、臨床的な検討目的に応じて、適切な表示形式で診療データを提示するための機能を有することができる。
【０２８０】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０２８１】
１００  医用情報処理装置
１５０  処理回路
１５１  取得機能
１５２  表示制御機能
１５３  変換機能
【図１】
2018173776.tif 000003
【図２】
2018173776.tif 000004
【図３】
2018173776.tif 000005
【図４】
2018173776.tif 000006
【図５】
2018173776.tif 000007
【図６】
2018173776.tif 000008
【図７】
2018173776.tif 000009
【図８】
2018173776.tif 000010
【図９】
2018173776.tif 000011
【図１０】
2018173776.tif 000012
【図１１】
2018173776.tif 000013
【図１２】
2018173776.tif 000014
【図１３】
2018173776.tif 000015
【図１４】
2018173776.tif 000016
【図１５】
2018173776.tif 000017
【図１６】
2018173776.tif 000018
【図１７】
2018173776.tif 000019
【図１８】
2018173776.tif 000020
【図１９】
2018173776.tif 000021
【図２０】
2018173776.tif 000022
【図２１】
2018173776.tif 000023
【図２２】
2018173776.tif 000024
【図２３】
2018173776.tif 000025
【図２４】
2018173776.tif 000026
【図２５】
2018173776.tif 000027
【図２６】
2018173776.tif 000028
【図２７】
2018173776.tif 000029
【図２８】
2018173776.tif 000030
【図２９】
2018173776.tif 000031
【図３０】
2018173776.tif 000032
【図３１】
2018173776.tif 000033
【図３２】
2018173776.tif 000034
【図３３】
2018173776.tif 000035
【図３４】
2018173776.tif 000036
【図３５】
2018173776.tif 000037
【図３６】
2018173776.tif 000038
【図３７】
2018173776.tif 000039
【図３８】
2018173776.tif 000040
【図３９】
2018173776.tif 000041
【図４０】
2018173776.tif 000042
【図４１】
2018173776.tif 000043
【図４２】
2018173776.tif 000044
【図４３】
2018173776.tif 000045
【図４４】
2018173776.tif 000046
【図４５】
2018173776.tif 000047
【図４６】
2018173776.tif 000048
【図４７】
2018173776.tif 000049
【図４８】
2018173776.tif 000050
【図４９】
2018173776.tif 000051
【図５０】
2018173776.tif 000052
【図５１】
2018173776.tif 000053
【図５２】
2018173776.tif 000054
【図５３】
2018173776.tif 000055
【図５４】
2018173776.tif 000056
【図５５】
2018173776.tif 000057
【図５６】
2018173776.tif 000058
【図５７】
2018173776.tif 000059
【図５８】
2018173776.tif 000060
【図５９】
2018173776.tif 000061